(57)【要約】【課題】キー情報及びキー情報に基づいて検索された複数の検索結果をまとめて短時間で把握可能に表示することを可能とする。【解決手段】キー情報に関連する情報を表示するキー情報表示領域と、互いに異なる放射方向に沿って配列された複数の検索結果表示領域を各々含み、キー情報表示領域の周囲に配置された複数の区画領域と、を含む検索結果表示画面を表示部に表示する。所定の状態で、第１のタッチ操作が検出されると、順位ｍ＋１の検索結果を区画領域ｓの検索結果表示領域ｔに表示する。また、順位ｍ＋２の検索結果を区画領域ｓの検索結果表示領域ｔ＋１に各々表示する。所定の状態とは、順位ｍの検索結果が区画領域ｓの検索結果表示領域ｔに表示され、順位ｍ＋１の検索結果が区画領域ｓの検索結果表示領域ｔ＋１に表示されている状態である。【選択図】図６
2016081330.tif 000002
【特許請求の範囲】
【請求項１】
検索結果の順位と検索の種類と検索結果とが各々対応付けられた情報を記憶する第１記憶部を有するコンピュータに、
キー情報に関連する情報を表示するキー情報表示領域と、互いに異なる放射方向に沿って配列された複数の検索結果表示領域を各々含み、前記キー情報表示領域の周囲に配置された複数の区画領域と、を含む検索結果表示画面を表示部に表示し、
前記キー情報に基づいて行われた複数の種類の検索の検索結果を前記第１記憶部に記憶し、
検索の種類に対応する前記区画領域の検索結果表示領域に、検索結果の順位がｎ（ｎは整数）の検索結果を各々表示し、
区画領域ｓにおいて、検索結果表示領域ｔ（ｔは整数）は、前記区画領域ｓに含まれる複数の検索結果表示領域の配列方向に沿って検索結果表示領域ｔ＋１の前記キー情報表示領域側と反対側に配置されており、順位ｍ（ｍは整数）の検索結果が前記区画領域ｓの前記検索結果表示領域ｔに表示され、順位ｍ＋１の検索結果が前記区画領域ｓの前記検索結果表示領域ｔ＋１に表示されている状態で、第１のタッチ操作が検出されると、前記第１記憶部から読み出した順位ｍ＋１の検索結果を前記区画領域ｓの前記検索結果表示領域ｔに表示し、前記第１記憶部から読み出した順位ｍ＋２の検索結果を前記区画領域ｓの前記検索結果表示領域ｔ＋１に各々表示する、
処理を前記コンピュータに実行させる検索結果表示プログラム。
【請求項２】
順位ｍの検索結果が前記区画領域ｓの前記検索結果表示領域ｔに表示され、順位ｍ＋１の検索結果が前記区画領域ｓの前記検索結果表示領域ｔ＋１に表示されている状態で、第２のタッチ操作が検出されると、前記第１記憶部から読み出した順位ｍ−１の検索結果を、前記区画領域ｓの前記検索結果表示領域ｔに表示し、前記第１記憶部から読み出した順位ｍの検索結果を、前記区画領域ｓの前記検索結果表示領域ｔ＋１に各々表示する、
処理を前記コンピュータに実行させる請求項１記載の検索結果表示プログラム。
【請求項３】
検索結果の順位と検索の種類と検索結果とが各々対応付けられた情報を記憶する第１記憶部を有するコンピュータに、
キー情報に関連する情報を表示するキー情報表示領域と、互いに異なる放射方向に沿って配列された複数の検索結果表示領域を各々含み、前記キー情報表示領域の周囲に配置された複数の区画領域と、を含む検索結果表示画面を表示部に表示し、
前記キー情報に基づいて行われた複数の種類の検索の検索結果を前記第１記憶部に記憶し、
検索の種類に対応する前記区画領域の検索結果表示領域に、検索結果の順位がｎ（ｎは整数）の検索結果を各々表示し、
区画領域ｓ＋１（ｓは整数）は、区画領域ｓの時計回り進行方向側に配置され、区画領域ｓ＋２は、前記区画領域ｓ＋１の時計回り進行方向側に配置されており、前記区画領域ｓと前記区画領域ｓ＋１の検索結果表示領域に検索結果が各々表示されている状態で、第３のタッチ操作が検出されると、前記区画領域ｓの検索結果表示領域に表示されていた検索結果を、前記区画領域ｓ＋１の検索結果表示領域に表示し、前記区画領域ｓ＋１の検索結果表示領域に表示されていた検索結果を、前記区画領域ｓ＋２の検索結果表示領域に表示する、
処理を前記コンピュータに実行させる検索結果表示プログラム。
【請求項４】
区画領域ｓ−１は、区画領域ｓの反時計回り進行方向側に配置され、前記区画領域ｓは、区画領域ｓ＋１の反時計回り進行方向側に配置されており、前記区画領域ｓと前記区画領域ｓ＋１の検索結果表示領域に検索結果が各々表示されている状態で、第４のタッチ操作が検出されると、前記区画領域ｓの検索結果表示領域に表示されていた検索結果を、前記区画領域ｓ−１の検索結果表示領域に表示し、前記区画領域ｓ＋１の検索結果表示領域に表示されていた検索結果を、前記区画領域ｓの検索結果表示領域に表示する、
処理を前記コンピュータに実行させる請求項３に記載の検索結果表示プログラム。
【請求項５】
検索結果の順位と検索の種類と検索結果とが各々対応付けられた情報を記憶する第１記憶部を有するコンピュータに、
キー情報に関連する情報を表示するキー情報表示領域と、互いに異なる放射方向に沿って配列された複数の検索結果表示領域を各々含み、前記キー情報表示領域の周囲に配置された複数の区画領域と、を含む検索結果表示画面を表示部に表示し、
前記キー情報に基づいて行われた複数の種類の検索の検索結果を前記第１記憶部に記憶し、
検索の種類に対応する前記区画領域の検索結果表示領域に、検索結果の順位がｎ（ｎは整数）の検索結果を各々表示し、
キー情報ｘ（ｘは整数で、検索の順番を表す）の検索結果が検索結果表示領域に表示されている状態で、第５のタッチ操作が検出されると、前記第５のタッチ操作が検出された検索結果表示領域に表示されている検索結果に関連する情報を、キー情報ｘ＋１として用いて行われた前記複数の検索の結果を前記第１記憶部に各々記憶し、
前記キー情報ｘ＋１に関連する情報を前記キー情報表示領域に表示し、
検索の種類に対応する区画領域の検索結果表示領域に、前記キー情報ｘ＋１に基づいた検索の順位ｐ（ｐは整数）の検索結果を各々表示する、
処理を前記コンピュータに実行させる検索結果表示プログラム。
【請求項６】
検索結果の順位と検索の種類と検索結果とが各々対応付けられた情報を記憶する第１記憶部を有するコンピュータに、
キー情報に関連する情報を表示するキー情報表示領域と、互いに異なる放射方向に沿って配列された複数の検索結果表示領域を各々含み、前記キー情報表示領域の周囲に配置された複数の区画領域と、を含む検索結果表示画面を表示部に表示し、
前記キー情報に基づいて行われた複数の種類の検索の検索結果を前記第１記憶部に記憶し、
検索の種類に対応する前記区画領域の検索結果表示領域に、検索結果の順位がｎ（ｎは整数）の検索結果を各々表示し、
キー情報ｘ（ｘは整数で、検索の順番を表す）の検索結果が検索結果表示領域に表示されている状態で第６のタッチ操作が検出されると、キー情報ｘ＋１に関連する情報を前記キー情報表示領域に表示し、前記第１記憶部から読み出した前記キー情報ｘ＋１に基づいた検索結果を前記検索結果表示領域に各々表示する、
処理を前記コンピュータに実行させる検索結果表示プログラム。
【請求項７】
キー情報ｘの検索結果が検索結果表示領域に表示されている状態で第７のタッチ操作が検出されると、キー情報ｘ−１に関連する情報を前記キー情報表示領域に表示し、前記第１記憶部から読み出した前記キー情報ｘ−１に基づいた検索結果を前記検索結果表示領域に各々表示する、
処理をコンピュータに実行させる請求項６記載の検索結果表示プログラム。
【請求項８】
前記検索結果は、前記コンピュータとは異なる情報処理装置で前記キー情報に基づいて検索された第２の検索結果であって、
前記第２の検索結果を受信して前記第１記憶部に記憶する、
処理を前記コンピュータに実行させる請求項１〜請求項７の何れか１項に記載の検索結果表示プログラム。
【請求項９】
前記検索結果の順位と検索の種類と検索結果とが各々対応付けられた情報は、前記コンピュータとは異なる情報処理装置の第２記憶部に記憶されており、
前記検索結果の順位と検索の種類と検索結果とが各々対応付けられた情報を、前記情報処理装置から受信し、前記コンピュータの前記第１記憶部に記憶する、
処理を前記コンピュータに実行させる請求項１〜請求項７の何れか１項に記載の検索結果表示プログラム。
【請求項１０】
タッチ操作を検出する検出部と、
情報を表示可能な表示部と、
検索結果の順位と検索の種類と検索結果とが各々対応付けられた情報を記憶する第１記憶部と、
キー情報に関連する情報を表示するキー情報表示領域と、互いに異なる放射方向に沿って配列された複数の検索結果表示領域を各々含み、前記キー情報表示領域の周囲に配置された複数の区画領域と、を含む検索結果表示画面を前記表示部に表示し、前記キー情報に基づいて行われた複数の種類の検索の検索結果を前記第１記憶部に記憶し、検索の種類に対応する前記区画領域の検索結果表示領域に、検索結果の順位がｎ（ｎは整数）の検索結果を各々表示し、区画領域ｓにおいて、検索結果表示領域ｔ（ｔは整数）は、前記区画領域ｓに含まれる複数の検索結果表示領域の配列方向に沿って検索結果表示領域ｔ＋１の前記キー情報表示領域側と反対側に配置されており、順位ｍ（ｍは整数）の検索結果が前記区画領域ｓの前記検索結果表示領域ｔに表示され、順位ｍ＋１の検索結果が前記区画領域ｓの前記検索結果表示領域ｔ＋１に表示されている状態で、第１のタッチ操作が検出されると、前記第１記憶部から読み出した順位ｍ＋１の検索結果を前記区画領域ｓの前記検索結果表示領域ｔに表示し、前記第１記憶部から読み出した順位ｍ＋２の検索結果を前記区画領域ｓの前記検索結果表示領域ｔ＋１に各々表示する、制御部と、
を含む情報処理装置。
【請求項１１】
タッチ操作を検出する検出部と、
情報を表示可能な表示部と、
検索結果の順位と検索の種類と検索結果とが各々対応付けられた情報を記憶する第１記憶部と、
キー情報に関連する情報を表示するキー情報表示領域と、互いに異なる放射方向に沿って配列された複数の検索結果表示領域を各々含み、前記キー情報表示領域の周囲に配置された複数の区画領域と、を含む検索結果表示画面を前記表示部に表示し、前記キー情報に基づいて行われた複数の種類の検索の検索結果を前記第１記憶部に記憶し、検索の種類に対応する前記区画領域の検索結果表示領域に、検索結果の順位がｎ（ｎは整数）の検索結果を各々表示し、区画領域ｓ＋１（ｓは整数）は、区画領域ｓの時計回り進行方向側に配置され、区画領域ｓ＋２は、前記区画領域ｓ＋１の時計回り進行方向側に配置されており、前記区画領域ｓと前記区画領域ｓ＋１の検索結果表示領域に検索結果が各々表示されている状態で、第３のタッチ操作が検出されると、前記区画領域ｓの検索結果表示領域に表示されていた検索結果を、前記区画領域ｓ＋１の検索結果表示領域に表示し、前記区画領域ｓ＋１の検索結果表示領域に表示されていた検索結果を、前記区画領域ｓ＋２の検索結果表示領域に表示する、制御部と、
を含む情報処理装置。
【請求項１２】
タッチ操作を検出する検出部と、
情報を表示可能な表示部と、
検索結果の順位と検索の種類と検索結果とが各々対応付けられた情報を記憶する第１記憶部と、
キー情報に関連する情報を表示するキー情報表示領域と、互いに異なる放射方向に沿って配列された複数の検索結果表示領域を各々含み、前記キー情報表示領域の周囲に配置された複数の区画領域と、を含む検索結果表示画面を前記表示部に表示し、前記キー情報に基づいて行われた複数の種類の検索の検索結果を前記第１記憶部に記憶し、検索の種類に対応する前記区画領域の検索結果表示領域に、検索結果の順位がｎ（ｎは整数）の検索結果を各々表示し、キー情報ｘ（ｘは整数で、検索の順番を表す）の検索結果が検索結果表示領域に表示されている状態で、第５のタッチ操作が検出されると、前記第５のタッチ操作が検出された検索結果表示領域に表示されている検索結果に関連する情報を、キー情報ｘ＋１として用いて行われた前記複数の種類の検索の結果を前記第１記憶部に各々記憶し、前記キー情報ｘ＋１に関連する情報を前記キー情報表示領域に表示し、検索の種類に対応する区画領域の検索結果表示領域に、前記キー情報ｘ＋１に基づいた検索の順位ｐ（ｐは整数）の検索結果を各々表示する、制御部と、
を含む情報処理装置。
【請求項１３】
タッチ操作を検出する検出部と、
情報を表示可能な表示部と、
検索結果の順位と検索の種類と検索結果とが各々対応付けられた情報を記憶する第１記憶部と、
キー情報に関連する情報を表示するキー情報表示領域と、互いに異なる放射方向に沿って配列された複数の検索結果表示領域を各々含み、前記キー情報表示領域の周囲に配置された複数の区画領域と、を含む検索結果表示画面を前記表示部に表示し、前記キー情報に基づいて行われた複数の種類の検索の検索結果を前記第１記憶部に記憶し、検索の種類に対応する前記区画領域の検索結果表示領域に、検索結果の順位がｎ（ｎは整数）の検索結果を各々表示し、キー情報ｘ（ｘは整数で、検索の順番を表す）の検索結果が検索結果表示領域に表示されている状態で第６のタッチ操作が検出されると、キー情報ｘ＋１に関連する情報を前記キー情報表示領域に表示し、前記第１記憶部から読み出した前記キー情報ｘ＋１に基づいた検索結果を前記検索結果表示領域に各々表示する、制御部と、
を含む情報処理装置。
【請求項１４】
プロセッサが、
キー情報に関連する情報を表示するキー情報表示領域と、互いに異なる放射方向に沿って配列された複数の検索結果表示領域を各々含み、前記キー情報表示領域の周囲に配置された複数の区画領域と、を含む検索結果表示画面を表示部に表示すると共に、
前記キー情報に基づいて行われた複数の種類の検索の検索結果を、検索結果の順位と検索の種類とに各々対応付けて第１記憶部に記憶し、
検索の種類に対応する前記区画領域の検索結果表示領域に、検索結果の順位がｎ（ｎは整数）の検索結果を各々表示し、
区画領域ｓにおいて、検索結果表示領域ｔ（ｔは整数）は、前記区画領域ｓに含まれる複数の検索結果表示領域の配列方向に沿って検索結果表示領域ｔ＋１の前記キー情報表示領域側と反対側に配置されており、順位ｍ（ｍは整数である）の検索結果が前記区画領域ｓの前記検索結果表示領域ｔに表示され、順位ｍ＋１の検索結果が前記区画領域ｓの前記検索結果表示領域ｔ＋１に表示されている状態で、第１のタッチ操作が検出されると、前記第１記憶部から読み出した順位ｍ＋１の検索結果を前記区画領域ｓの前記検索結果表示領域ｔに表示し、前記第１記憶部から読み出した順位ｍ＋２の検索結果を前記区画領域ｓの前記検索結果表示領域ｔ＋１に各々表示する、
ことを含む検索結果表示方法。
【請求項１５】
プロセッサが、
キー情報に関連する情報を表示するキー情報表示領域と、互いに異なる放射方向に沿って配列された複数の検索結果表示領域を各々含み、前記キー情報表示領域の周囲に配置された複数の区画領域と、を含む検索結果表示画面を表示部に表示すると共に、
前記キー情報に基づいて行われた複数の種類の検索の検索結果を、検索結果の順位と検索の種類とに各々対応付けて第１記憶部に記憶し、
検索の種類に対応する前記区画領域の検索結果表示領域に、検索結果の順位がｎ（ｎは整数）の検索結果を各々表示し、
区画領域ｓ＋１（ｓは整数）は、区画領域ｓの時計回り進行方向側に配置され、区画領域ｓ＋２は、前記区画領域ｓ＋１の時計回り進行方向側に配置されており、
前記区画領域ｓと前記区画領域ｓ＋１の検索結果表示領域に検索結果が各々表示されている状態で、第３のタッチ操作が検出されると、前記区画領域ｓの検索結果表示領域に表示されていた検索結果を、前記区画領域ｓ＋１の検索結果表示領域に表示し、前記区画領域ｓ＋１の検索結果表示領域に表示されていた検索結果を、前記区画領域ｓ＋２の検索結果表示領域に表示する、
ことを含む検索結果表示方法。
【請求項１６】
プロセッサが、
キー情報に関連する情報を表示するキー情報表示領域と、互いに異なる放射方向に沿って配列された複数の検索結果表示領域を各々含み、前記キー情報表示領域の周囲に配置された複数の区画領域と、を含む検索結果表示画面を表示部に表示すると共に、
前記キー情報に基づいて行われた複数の種類の検索の検索結果を、検索結果の順位と検索の種類とに各々対応付けて第１記憶部に記憶し、
検索の種類に対応する前記区画領域の検索結果表示領域に、検索結果の順位がｎ（ｎは整数）の検索結果を各々表示し、
キー情報ｘ（ｘは整数で、検索の順番を表す）の検索結果が検索結果表示領域に表示されている状態で、第５のタッチ操作が検出されると、前記第５のタッチ操作が検出された検索結果表示領域に表示されている検索結果に関連する情報を、キー情報ｘ＋１として用いて行われた前記複数の種類の検索の結果を前記第１記憶部に各々記憶すると共に、
前記キー情報ｘ＋１に関連する情報を前記キー情報表示領域に表示し、
検索の種類に対応する区画領域の検索結果表示領域に、前記キー情報ｘ＋１に基づいた検索の順位ｐ（ｐは整数）の検索結果を各々表示する、
ことを含む検索結果表示方法。
【請求項１７】
プロセッサが、
キー情報に関連する情報を表示するキー情報表示領域と、互いに異なる放射方向に沿って配列された複数の検索結果表示領域を各々含み、前記キー情報表示領域の周囲に配置された複数の区画領域と、を含む検索結果表示画面を表示部に表示すると共に、
前記キー情報に基づいて行われた複数の種類の検索の検索結果を、検索結果の順位と検索の種類とに各々対応付けて第１記憶部に記憶し、
検索の種類に対応する前記区画領域の検索結果表示領域に、検索結果の順位がｎ（ｎは整数）の検索結果を各々表示し、
キー情報ｘ（ｘは整数で、検索の順番を表す）の検索結果が検索結果表示領域に表示されている状態で第６のタッチ操作が検出されると、キー情報ｘ＋１に関連する情報を前記キー情報表示領域に表示し、前記第１記憶部から読み出した前記キー情報ｘ＋１に基づいた検索結果を前記検索結果表示領域に各々表示する、
ことを含む検索結果表示方法。
【発明の詳細な説明】
【技術分野】
【０００１】
開示の技術は、検索結果表示プログラム、情報処理装置、及び検索結果表示方法に関する。
【背景技術】
【０００２】
ランダムに選択したキーで画像を検索し、検索した画像を縦方向に並べて表示し、検索した画像の中から選択した画像を主画像として画面中央に移動させて拡大表示する技術がある。この技術では、主画像から選択したキーで画像を検索し、主画像との関連度などに基づいて、検索した画像を横方向に並べて表示する。主画像から選択されるキーは、例えば、撮影時刻、朝、午前、午後、夜等の撮影時間帯、撮影時刻のワールドタイム、露出、感度、記憶サイズ、記憶品質、認識した画像が有する色、ホワイトバランス、認識した人物の名前、特徴、または人数などである。主画像を変更することにより、漠然としたユーザの検索要求を明瞭にしていく。
【先行技術文献】
【特許文献】
【０００３】
【特許文献１】特開２００８−９０３６５
【特許文献２】特開２００７−２２６５３６
【特許文献３】特開平８−３２９０９６
【特許文献４】特表２０１０−５０３１３０
【発明の概要】
【発明が解決しようとする課題】
【０００４】
関連技術では、検索した画像を縦方向に並べて表示し、主画像から選択したキーで検索した画像を横方向に並べて表示している。従って、主画像と主画像から選択したキーで検索した画像の大多数とは常に離隔して表示される。このような場合、主画像及び主画像から選択したキーで検索した複数の画像をまとめて短時間で把握することは困難である。
【０００５】
開示の技術は、１つの側面として、キー情報及びキー情報に基づいて検索された複数の検索結果をまとめて短時間で把握可能に表示することを可能とすることが目的である。
【課題を解決するための手段】
【０００６】
開示の技術において、コンピュータは、検索結果の順位と検索の種類と検索結果とが各々対応付けられた情報を記憶する第１記憶部を有する。また、コンピュータは、検索結果表示画面を表示部に表示する。検索結果表示画面は、キー情報に関連する情報を表示するキー情報表示領域と、互いに異なる放射方向に沿って配列された複数の検索結果表示領域を各々含み、キー情報表示領域の周囲に配置された複数の区画領域と、を含む。コンピュータは、キー情報に基づいて行われた複数の種類の検索の検索結果を第１記憶部に記憶する。また、コンピュータは、検索の種類に対応する区画領域の検索結果表示領域に、検索結果の順位がｎ（ｎは整数）の検索結果を各々表示する。区画領域ｓにおいて、検索結果表示領域ｔ（ｔは整数）は、区画領域ｓに含まれる複数の検索結果表示領域の配列方向に沿って検索結果表示領域ｔ＋１のキー情報表示領域側と反対側に配置されている。また、コンピュータは、所定の状態で、第１のタッチ操作が検出されると、第１記憶部から読み出した順位ｍ＋１の検索結果を区画領域ｓの検索結果表示領域ｔに表示する。また、コンピュータは、第１記憶部から読み出した順位ｍ＋２の検索結果を区画領域ｓの検索結果表示領域ｔ＋１に各々表示する。所定の状態とは、順位ｍ（ｍは整数）の検索結果が区画領域ｓの検索結果表示領域ｔに表示され、順位ｍ＋１の検索結果が区画領域ｓの検索結果表示領域ｔ＋１に表示されている状態である。
【発明の効果】
【０００７】
開示の技術は、１つの側面として、キー情報及びキー情報に基づいて検索された複数の検索結果をまとめて短時間で把握可能に表示することを可能とする、という効果を有する。
【図面の簡単な説明】
【０００８】
【図１】実施形態に係るスマートデバイスの要部機能の一例を示すブロック図である。
【図２】実施形態に係る検索結果テーブルの一例を示す概念図である。
【図３】実施形態に係る検索結果管理テーブルの一例を示す概念図である。
【図４】実施形態に係るスマートデバイスの電気系の構成の一例を示すブロック図である。
【図５】実施形態に係る検索結果表示画面の一例を示す概念図である。
【図６】実施形態に係る検索結果表示処理の一例を示すフローチャートである。
【図７Ａ】実施形態に係る起動画面の一例を示す概念図である。
【図７Ｂ】実施形態に係る検索結果表示画面の一例を示す概念図である。
【図７Ｃ】実施形態に係る検索結果表示画面の一例を示す概念図である。
【図７Ｄ】実施形態に係る画像の拡大表示を含む画面の一例を示す概念図である。
【図７Ｅ】実施形態に係るウェブページを表示する画面の一例を示す概念図である。
【図７Ｆ】実施形態に係る検索結果表示画面の一例を示す概念図である。
【図８】実施形態に係る検索処理の一例を示すフローチャートである。
【図９】実施形態に係るテキスト検索処理の一例を示すフローチャートである。
【図１０】実施形態に係る類似画像検索処理の一例を示すフローチャートである。
【図１１】実施形態に係るリコメンド検索処理の一例を示すフローチャートである。
【図１２】実施形態に係る類似ユーザ検索処理の一例を示すフローチャートである。
【図１３】実施形態に係る検索結果画面表示処理の一例を示すフローチャートである。
【図１４Ａ】実施形態に係る検索結果表示画面の一例を示す概念図である。
【図１４Ｂ】実施形態に係る検索結果表示画面の一例を示す概念図である。
【図１４Ｃ】実施形態に係る検索結果表示画面の一例を示す概念図である。
【図１５】実施形態に係る検索結果表示領域と表示内容との関係の一例を示すテーブルである。
【図１６】実施形態に係る検索結果表示領域と表示内容との関係の一例を示すテーブルである。
【図１７Ａ】実施形態に係る検索結果表示画面の一例を示す概念図である。
【図１７Ｂ】実施形態に係る検索結果表示画面の一例を示す概念図である。
【図１７Ｃ】実施形態に係る検索結果表示画面の一例を示す概念図である。
【図１８】実施形態に係る検索結果表示領域と表示内容との関係の一例を示すテーブルである。
【図１９Ａ】実施形態に係る検索結果表示画面の一例を示す概念図である。
【図１９Ｂ】実施形態に係る検索結果表示画面の一例を示す概念図である。
【図１９Ｃ】実施形態に係る検索結果表示画面の一例を示す概念図である。
【図２０】実施形態に係る検索の連鎖の一例を説明するための概念図である。
【図２１Ａ】実施形態に係る検索結果表示画面の一例を示す概念図である。
【図２１Ｂ】実施形態に係る検索結果表示画面の一例を示す概念図である。
【図２１Ｃ】実施形態に係る検索結果表示画面の一例を示す概念図である。
【図２２】実施形態に係る検索結果表示領域と表示内容との関係の一例を示すテーブルである。
【図２３】実施形態に係る検索結果表示画面の一例を示す概念図である。
【図２４】実施形態に係る検索結果表示画面を様々なデバイスに適用した例を示す概念図である。
【図２５】実施形態に係る検索結果表示画面の一例を示す概念図である。
【図２６】実施形態に係るスマートデバイスの要部機能の一例を示すブロック図である。
【図２７】実施形態に係る検索結果テーブルの一例を示す概念図である。
【図２８Ａ】実施形態に係る検索結果表示画面の一例を示す概念図である。
【図２８Ｂ】実施形態に係る検索結果表示画面の一例を示す概念図である。
【図２８Ｃ】実施形態に係る検索結果表示画面の一例を示す概念図である。
【図２８Ｄ】実施形態に係る検索結果表示画面の一例を示す概念図である。
【図２８Ｅ】実施形態に係る検索結果表示画面の一例を示す概念図である。
【発明を実施するための形態】
【０００９】
以下、図面を参照して開示の技術の実施形態の一例を詳細に説明する。
【００１０】
一例として図１に示すスマートデバイス１０は、検出部１２、制御部１４、表示部１６、通信部１８、及び記憶部２０を含む。検出部１２、制御部１４、表示部１６、通信部１８、及び記憶部２０は、相互に接続されている。
【００１１】
記憶部２０は、図２に一例を示す検索結果テーブルＳＲＴ１、ＳＲＴ２、ＳＲＴ３、…、ＳＲＴｊ（以下、検索結果テーブルＳＲＴともいう。ｊはテーブル番号を示す）と、図３に一例を示す検索結果管理テーブル２６と、を記憶する。検索結果テーブルＳＲＴは検索結果であるウェブページのＵＲＬ（Uniform Resource Locator）を検索結果の順位を示す管理番号１１、２１、３１、…、ｉ１、…と対応付けて検索の種類毎に保存する。なお、管理番号の添え字はテーブル番号を示し、添え字が付された数字は検索結果の順位を示す。例えば、管理番号３１は、検索結果テーブルＳＲＴ１の検索結果の順位が３番目の検索結果であることを示している。テーブル番号は、過去に行った検索の順番（検索履歴の順番）を示す。また、図２では、各検索テーブルにおいて検索結果の個数が同一の場合を図示したが、検索結果の個数は検索結果テーブル毎に異なっていてもよい。なお、以下の説明では、説明の便宜上管理番号として添え字を付さない検索順位だけを示す番号を用いて説明する。また、検索結果管理テーブル２６は検索結果テーブルＳＲＴのテーブル番号と対応付けてキー情報を保存する。なお、検索結果テーブルＳＲＴは、検索が行われる毎に生成される。検索の種類は、例えば、後述するテキスト検索、類似画像検索、リコメンド検索、及び類似ユーザ検索である。
【００１２】
スマートデバイス１０は、一例として図４に示すように、ＣＰＵ（Central Processing Unit）６０、１次記憶部６２、２次記憶部６４、外部インターフェイス７０、及びタッチパネルディスプレイ７６を含む。タッチパネルディスプレイ７６は、タッチパネル７２及びディスプレイ７４を含む。ＣＰＵ６０、１次記憶部６２、２次記憶部６４、外部インターフェイス７０、及びタッチパネルディスプレイ７６は、バス８０を介して相互に接続されている。
【００１３】
タッチパネル７２はタッチパネル７２に対するタッチ操作を検出する。ディスプレイ７４は検索結果表示画面などを表示する。外部インターフェイス７０には、外部装置が接続され、外部装置とＣＰＵ６０との間の各種情報の送受信を司る。
【００１４】
１次記憶部６２は、例えば、ＲＡＭ（Random Access Memory）などの揮発性のメモリである。２次記憶部６４は、例えば、ＨＤＤ（Hard Disk Drive）、またはＳＳＤ（Solid State Drive）などの不揮発性のメモリである。
【００１５】
２次記憶部６４は、一例として、検出サブプログラム６６Ａ、制御サブプログラム６６Ｂ、表示サブプログラム６６Ｃ、及び通信サブプログラム６６Ｄを含む検索結果表示プログラム６６を記憶している。ＣＰＵ６０は、２次記憶部６４から検出サブプログラム６６Ａ、制御サブプログラム６６Ｂ、表示サブプログラム６６Ｃ、及び通信サブプログラム６６Ｄを読み出して１次記憶部６２に展開する。
【００１６】
ＣＰＵ６０は、検出サブプログラム６６Ａを実行することで、図１に示す検出部１２として動作する。ＣＰＵ６０は、制御サブプログラム６６Ｂを実行することで、図１に示す制御部１４として動作する。ＣＰＵ６０は、表示サブプログラム６６Ｃを実行することで、図１に示す表示部１６として動作する。ＣＰＵ６０は、通信サブプログラム６６Ｄを実行することで、図１に示す通信部１８として動作する。なお、検索結果表示プログラム６６は開示の技術に係るプログラムの一例である。
【００１７】
また、２次記憶部６４は、検索結果テーブルを生成するデータ６７Ａ及び検索結果管理テーブルを生成するデータ６７Ｂを記憶している。１次記憶部６２及び２次記憶部６４は、図１の記憶部２０に対応する。
【００１８】
図５に、本実施形態に係る検索結果表示画面３０の一例を示す。検索結果表示画面３０は、検索結果表示画面３０の中央部分に表示された円によって、円の内側の領域である円形のキー情報表示領域πと、キー情報表示領域πの外側の領域とに区画されている。キー情報表示領域πの外側の領域は、４本の放射状の区画線ＲＬ１〜ＲＬ４によって４つの区画領域ＤＡ１〜ＤＡ４に区画されている。
【００１９】
区画線ＲＬ１〜ＲＬ４の各々は、キー情報表示領域πの円周上の各々位置が異なる一点を起点として、キー情報表示領域πの中心から放射状に伸びている。４本の区画線ＲＬ１〜ＲＬ４の各々の延長線は、隣接する区画線の延長線と９０度の角度で交差する。
【００２０】
従って、区画領域ＤＡ１〜ＤＡ４は、キー情報表示領域πの周囲に、互いに異なる放射方向に沿って配置される。
【００２１】
区画領域ＤＡ１は、キー情報表示領域πの中心と同軸で半径が互いに異なる４つの円弧である境界線ＥＬ１−１、ＥＬ２−１、ＥＬ３−１、ＥＬ４−１によって４つの検索結果表示領域Ａ１、Ａ２、Ａ３、Ａ４に区画されている。円弧の半径は、キー情報表示領域πから離れるに従い、隣接する円弧の半径の差が徐々に小さくなるように定められている。
【００２２】
従って、キー情報表示領域πの外郭線３２、区画線ＲＬ１、ＲＬ２、及び境界線ＥＬ１−１で囲まれた検索結果表示領域Ａ１の半径方向の幅がＡ１〜Ａ４の中で最大である。また、検索結果表示領域Ａ２、検索結果表示領域Ａ３、検索結果表示領域Ａ４と外側に向かうに従って、検索結果表示領域の半径方向の幅は徐々に小さくなる。
【００２３】
区画領域ＤＡ２〜ＤＡ４の各々も、区画領域ＤＡ１を区画した４つの円弧ＥＬ１−１、ＥＬ２−１、ＥＬ３−１、ＥＬ４−１と各々同一の半径で、キー情報表示領域πの中心と同軸の４つの円弧によって各々４つの検索結果表示領域に区画されている。区画領域ＤＡ２は、４つの円弧ＥＬ１−２、ＥＬ２−２、ＥＬ３−２、ＥＬ４−２で４つの検索結果表示領域Ｂ１、Ｂ２、Ｂ３、Ｂ４に区画されている。なお、図５では、Ｂ３、Ｂ４が画面外に位置しているが、データ上では、Ｂ３、Ｂ４が存在するものとして処理される。また、区画領域ＤＡ３は、４つの円弧ＥＬ１−３、ＥＬ２−３、ＥＬ３−３、ＥＬ４−３で４つの検索結果表示領域Ｃ１、Ｃ２、Ｃ３、Ｃ４に区画されている。また、区画領域ＤＡ４は、４つの円弧ＥＬ１−４、ＥＬ２−４、ＥＬ３−４、ＥＬ４−４で４つの検索結果表示領域Ｄ１、Ｄ２、Ｄ３、Ｄ４に区画されている。なお、図５では、Ｄ３、Ｄ４が画面外に位置しているが、データ上では、Ｂ３、Ｂ４が存在するものとして処理される。
【００２４】
区画領域ＤＡ１〜ＤＡ４または検索結果表示領域Ａ１〜Ｄ４は少なくとも一部分がタッチパネルディスプレイ７６に表示されればよいし、キー情報表示領域πはタッチパネルディスプレイ７６の中央からはずれた位置に表示されてもよい。図５において、検索結果表示領域Ｂ３、Ｂ４、Ｄ３及びＤ４は論理画面上には存在するが、タッチパネルディスプレイ７６の形状が長方形であるため、図５では表示されていない。また、境界線ＥＬ２−２、ＥＬ３−２、ＥＬ４−２、ＥＬ２−４、ＥＬ３−４、ＥＬ４−４も、図５では表示されていない。
【００２５】
検索結果テーブルを生成するデータ６７Ａに保存されるＵＲＬで示されるウェブページに含まれるディスクリプション及び画像（以下、表示データともいう）が、検索の種類毎に異なる区画領域ＤＡ１〜ＤＡ４の検索結果表示領域Ａ１〜Ｄ４に各々表示される。
【００２６】
ディスクリプションとは、検索エンジンなどが適切にウェブページの内容を把握できるようメタタグでウェブページの内容を記述したものである。メタタグとは、ＨＴＭＬ文書のｈｅａｄ要素に配置されるタグであり、ページを記述している言語や文字エンコーディングを指定したり、キーワードや説明文などを記述したりするタグである。メタタグは、通常ウェブページが表示されるブラウザの画面には表示されない。
【００２７】
検索結果表示画面３０は、外側の検索結果表示領域ほど、内側の検索結果表示領域と比較して、薄い色で表示してもよいし、外側の検索結果表示領域ほど、内側の検索結果表示領域と比較して、鮮鋭度、彩度または輝度を低下させて表示してもよい。これにより、より内側の検索結果表示領域Ａ１、Ｂ１、Ｃ１、及びＤ１にユーザの関心を集めることが可能となる。
【００２８】
ユーザのタッチパネルディスプレイ７６へのタッチ操作に応じて、検索結果表示領域Ａ１、Ｂ１、Ｃ１、Ｄ１には、未表示であった表示データが表示される。検索結果表示領域Ａ１、Ｂ１、Ｃ１、Ｄ１に表示されていた表示データは、検索結果表示領域Ａ２、Ｂ２、Ｃ２、Ｄ２に表示位置が移動される。
【００２９】
また、ユーザのタッチパネルディスプレイ７６への前述のタッチ操作とは異なるタッチ操作に応じて、検索結果表示領域Ａ１、Ｂ１、Ｃ１、Ｄ１に表示されている表示データが消去される。検索結果表示領域Ａ２、Ｂ２、Ｃ２、Ｄ２に表示されていた表示データは、検索結果表示領域Ａ１、Ｂ１、Ｃ１、Ｄ１に表示位置が各々移動される。
【００３０】
次に、本実施形態の作用として、ＣＰＵ６０が検索結果表示プログラム６６を実行することで、スマートデバイス１０によって行われる検索結果表示処理について、図６を参照して説明する。
【００３１】
検索結果表示処理は、例えば、スマートデバイス１０のタッチパネルディスプレイ７６に表示されるボタンなどをユーザがタップすることによって開始される。
【００３２】
本実施形態の検索結果表示処理は、一例として、ソーシャルネットワークサービスまたはポータルサイトなどにユーザがログインしている状態で起動される。これにより、本実施形態の検索結果表示処理は、ソーシャルネットワークサービスまたはポータルサイトなどに蓄積されているユーザに関する情報を検索に利用することが可能となる。
【００３３】
図６のステップ１０２で、ＣＰＵ６０は、タッチパネルディスプレイ７６に、図７Ａに一例を示す起動画面３０Ａを表示する。起動画面３０Ａの中央には、キー情報表示領域πが表示され、キー情報表示領域πには、キー情報に関連する画像が表示される。初期状態においてキー情報は、例えば、ソーシャルネットワークサービスまたはポータルサイトなどに蓄積されているユーザに関する情報の蓄積場所を示す情報、例えば、ＵＲＬであり、キー情報と関連する画像はユーザのプロフィール画像である。なお、本実施形態において、キー情報と関連する画像はキー情報であるＵＲＬによって示されるウェブページに含まれているサイズが最も大きい画像、または最近シェアされた画像などであってもよい。また、ユーザに関する情報には、例えば、テキストデータ、画像データ、及びＵＲＬデータなどが含まれる。
【００３４】
また、ユーザが指を置くよう誘導する円３８がキー情報表示領域πの下に表示される。また、起動画面３０Ａでは、円３８の表示位置がさらに下に向かって移動して戻る動きを示す。また、共に、境界線ＥＬ１−１、ＥＬ１−２、ＥＬ１−３、ＥＬ１−４（以下、境界線ＥＬ１ともいう。ＥＬ２〜ＥＬ４についても同様）が、キー情報表示領域πの外郭線３２との間隔が広がって戻るような動きを示すアニメーションが表示される。これにより、タッチパネルディスプレイ７６を下方向にスワイプすることにより検索が開始されることがユーザに示唆される。なお、スワイプはフリックでもよい。
【００３５】
図６のステップ１０４で、ＣＰＵ６０は、ユーザの指がタッチパネルディスプレイ７６を下方向にスワイプしたか否か判定し、判定が肯定されるまで、ステップ１０４を繰り返す。ユーザの指がタッチパネルディスプレイ７６を下方向にスワイプしたことを検出すると、ステップ１０４の判定が肯定されてステップ１０６へ移行し、ＣＰＵ６０は、ステップ１０６で、図８に詳細を示す検索処理を行う。
【００３６】
図８のステップ１１２で、図９に詳細を示すテキスト検索処理を行う。図９のステップ１３２で、ＣＰＵ６０は、前述のキー情報であるＵＲＬで示されるウェブページの中からテキストデータを抽出する。ステップ１３４で、ＣＰＵ６０は、抽出したテキストデータの中から検索に使用するキーを決定する。例えば、重要度が高いテキストを検索に使用するキーとして決定することが可能である。重要度が高いテキストとは、例えば、タイトルに使用されているテキスト、フォントサイズが大きいテキスト、リンクされているテキスト、周囲のテキストと異なる色のテキスト、及び周囲のテキストとスタイルが異なるテキストなどである。また、重要度が高いテキストとは、例えば、メタタグに含まれているテキストなどである。
【００３７】
ステップ１３６で、ＣＰＵ６０は、決定したキーを用い、インターネット上で提供されている検索エンジンを利用して、インターネット上に存在するデータから検索を行う。なお、インターネットに代えてイントラネットまたは他のネットワークを適用してもよい。ステップ１３８で、ＣＰＵ６０は、検索で抽出されたＵＲＬを取得し、検索結果順位順に検索結果テーブルＳＲＴのテキスト検索結果列に保存する。
【００３８】
図８のステップ１１４で、図１０に詳細を示す類似画像検索処理を行う。図１０のステップ１４２で、ＣＰＵ６０は、前述のキー情報であるＵＲＬで示されるウェブページの中から画像データを抽出する。ステップ１４４で、ＣＰＵ６０は、抽出した画像データの中から検索に使用する画像を決定する。例えば、表示サイズが最大である画像、ＯＧＰ（Open Graph Protocol）画像、最近シェアされた画像など重要度が高い画像を検索に使用する画像データとして決定することが可能である。
【００３９】
ＯＧＰ画像とは、ソーシャルネットワークサービスなどでシェアされた場合に表示する画像として予め設定されている画像である。
【００４０】
ステップ１４６で、ＣＰＵ６０は、決定した画像データを用い、インターネット上で提供されている類似画像検索機能を有する検索エンジンを利用して、類似画像検索を行う。ステップ１４８で、ＣＰＵ６０は、検索で抽出されたＵＲＬを取得し、検索結果順位順に検索結果テーブルＳＲＴの類似画像検索結果列に保存する。
【００４１】
図８のステップ１１６で、図１１に詳細を示すリコメンド検索処理を行う。図１１のステップ１５２で、ＣＰＵ６０は、前述のキー情報であるＵＲＬで示されるウェブページの中からＵＲＬデータを抽出する。ステップ１５４で、ＣＰＵ６０は、抽出したＵＲＬデータの中から検索に使用するＵＲＬデータを決定する。例えば、フォントサイズが大きいテキスト、周囲のテキストと異なる色のテキスト、及び周囲のテキストとスタイルが異なるテキストで表示されているＵＲＬデータを検索に使用するＵＲＬデータとして決定することが可能である。
【００４２】
ステップ１５６で、ＣＰＵ６０は、決定したＵＲＬデータで示されるＵＲＬへのリンクを含むウェブページを、インターネット上で提供されている検索エンジンを利用して検索する。ステップ１５８で、ＣＰＵ６０は、検索で抽出されたウェブページのＵＲＬを取得し、検索結果順位順に検索結果テーブルＳＲＴのリコメンド検索結果列に保存する。
【００４３】
図８のステップ１１８で、図１２に詳細を示す類似ユーザ検索処理の詳細を示す。図１２のステップ１６２で、ＣＰＵ６０は、キー情報であるＵＲＬで示されるウェブページの中からＵＲＬデータを抽出する。ステップ１６４で、ＣＰＵ６０は、抽出したＵＲＬデータの中から検索に使用するＵＲＬデータを決定する。例えば、フォントサイズが大きいテキスト、周囲のテキストと異なる色のテキスト、及び周囲のテキストとスタイルが異なるテキストで表示されている重要度が高いＵＲＬデータを検索に使用するＵＲＬデータとして決定することが可能である。
【００４４】
ステップ１６６で、ＣＰＵ６０は、決定されたＵＲＬデータで示されるＵＲＬをシェアしているソーシャルネットワークのユーザアカウントを、インターネット上で提供されている検索エンジンを利用して検索する。ステップ１６８で、ＣＰＵ６０は、検索で抽出されたユーザアカウントのユーザのプロフィールを含むウェブページのＵＲＬを検索結果順位順に検索結果テーブルＳＲＴの類似ユーザ検索結果列に保存する。
【００４５】
図６のステップ１０８で、図１３に詳細を示す検索結果画面表示処理を行う。図１３のステップ２０２で、図７Ｂに示すように、ＣＰＵ６０は、タッチパネルディスプレイ７６に、検索結果表示画面３０Ｂを表示する。
【００４６】
ステップ２０２で表示される検索結果表示画面３０Ｂは、キー情報表示領域π、検索結果表示領域Ａ１、検索結果表示領域Ｂ１、検索結果表示領域Ｃ１、及び検索結果表示領域Ｄ１を含む。
【００４７】
キー情報表示領域πには、図３に一例を示す検索結果管理テーブル２６にテーブル番号と対応付けて保存されているキー情報に関連する画像が表示される。図３において、キー情報がα（１）である場合、テーブル番号は１である。
【００４８】
検索結果表示領域Ａ１には、検索結果テーブルＳＲＴ１のテキスト検索結果列に保存されている管理番号１の検索結果ａ１（１）で示されるＵＲＬのウェブページに含まれる表示データ（以下、ＵＲＬに関連する表示データともいう）が表示される。検索結果表示領域Ｂ１には、検索結果テーブルＳＲＴ１の類似画像検索結果列に保存されている管理番号１の検索結果ｂ１（１）で示されるＵＲＬに関連する表示データが表示される。検索結果表示領域Ｃ１には、検索結果テーブルＳＲＴ１のリコメンド検索結果列に保存されている管理番号１の検索結果ｃ１（１）で示されるＵＲＬに関連する表示データが表示される。検索結果表示領域Ｄ１には、検索結果テーブルＳＲＴ１の類似ユーザ検索結果列に保存されている管理番号１の検索結果ｄ１（１）で示されるＵＲＬに関連する表示データが表示される。
【００４９】
図１３のステップ２０４で、ＣＰＵ６０は、ユーザがタッチパネルディスプレイ７６を縦方向にスワイプしたか否かを判定し、判定が肯定された場合、ステップ２０６で、ＣＰＵ６０は、検索結果表示領域の表示データの表示位置を移動する。判定が否定された場合、ステップ２０８に進む。
【００５０】
例えば、図２８Ａに示すように、検索結果表示画面３０Ｂで、キー情報表示領域πにキー情報α（１）に関連する画像が表示されている場合について説明する。検索結果表示領域Ａ１に検索結果テーブルＳＲＴ１のテキスト検索結果ａ１（１）に関連する表示データが表示され、検索結果表示領域Ｂ１に類似画像検索結果ｂ１（１）に関連する表示データが表示される。また、検索結果表示領域Ｃ１にリコメンド検索結果ｃ１（１）に関連する表示データが表示され、検索結果表示領域Ｄ１に類似ユーザ検索結果ｄ１（１）に関連する表示データが表示される。なお、図２８Ａにおいて、検索結果に関連する表示データを示す場合、便宜上、テーブル番号を示す添え字及び検索結果に関連する表示データであることは省略して示す（以下、同様）。
【００５１】
ここで、ＣＰＵ６０が、ステップ２０４で、ユーザがタッチパネルディスプレイ７６を縦方向にスワイプしたことを検出し、スワイプが下向きであると判定された場合（１回目）、検索結果表示領域Ａ２、Ｂ２、Ｃ２、Ｄ２が追加表示される。また、各検索結果表示領域に表示されている表示データの表示位置が区間領域内で移動する。詳細には、図２８Ｂに示すように、検索結果表示領域Ａ１に表示されていたテキスト検索結果ａ１（１）に関連する表示データの表示位置が検索結果表示領域Ａ２に移動する。また、検索結果表示領域Ａ１には、テキスト検索結果ａ１（１）の次の検索結果順位を有するテキスト検索結果ａ１（２）に関連する表示データが表示される。また、検索結果表示領域Ｂ１に表示されている類似画像検索結果ｂ１（１）に関連する表示データの表示位置が検索結果表示領域Ｂ２に移動する。また、検索結果表示領域Ｂ１には、類似画像検索結果ｂ１（１）の次の検索結果順位を有する類似画像検索結果ｂ１（２）が表示される。また、検索結果表示領域Ｃ１に表示されているリコメンド検索結果ｃ１（１）の表示位置が検索結果表示領域Ｃ２に移動し、検索結果表示領域Ｃ１には、リコメンド検索結果ｃ１（１）の次の検索結果順位を有するリコメンド検索結果ｃ１（２）が表示される。また、検索結果表示領域Ｄ１に表示されている類似ユーザ検索結果ｄ１（１）に関連する表示データの表示位置が検索結果表示領域Ｄ２に移動する。また、検索結果表示領域Ｄ１には、類似ユーザ検索結果ｄ１（１）の次の検索結果順位を有する類似ユーザ検索結果ｄ１（２）が表示される。なお、スワイプが下向きの操作は、第１のタッチ操作の一例である。
【００５２】
以下、区間領域ＤＡ１についてのみ説明する。ＣＰＵ６０が、ステップ２０４で、ユーザがタッチパネルディスプレイ７６を縦方向にスワイプしたことを検出し、スワイプが下向きであると判定された場合（２回目）、検索結果表示領域Ａ３、Ｂ３、Ｃ３、Ｄ３が追加表示される。図２８Ｃに示すように、検索結果表示領域Ａ２に表示されていたテキスト検索結果ａ１（１）に関連する表示データの表示位置が検索結果表示領域Ａ３に移動する。また、検索結果表示領域Ａ１に表示されていたテキスト検索結果ａ１（２）に関連する表示データの表示位置が検索結果表示領域Ａ２に移動する。また、検索結果表示領域Ａ１には、検索結果ａ１（２）の次の検索結果順位を有するテキスト検索結果ａ１（３）に関連する表示データが表示される。
【００５３】
さらに、ＣＰＵ６０が、ステップ２０４で、ユーザがタッチパネルディスプレイ７６を縦方向にスワイプしたことを検出し、スワイプが下向きであると判定された場合（３回目）、検索結果表示領域Ａ４、Ｂ４、Ｃ４、Ｄ４が追加表示される。図２８Ｄに示すように、検索結果表示領域Ａ３に表示されていたテキスト検索結果ａ１（１）に関連する表示データの表示位置が検索結果表示領域Ａ４に移動する。また、検索結果表示領域Ａ２に表示されていたテキスト検索結果ａ１（２）に関連する表示データの表示位置が検索結果表示領域Ａ３に移動する。また、検索結果表示領域Ａ１に表示されていたテキスト検索結果ａ１（３）に関連する表示データの表示位置が検索結果表示領域Ａ２に移動する。また、検索結果表示領域Ａ１には、検索結果ａ１（３）の次の検索結果順位を有するテキスト検索結果ａ１（４）に関連する表示データが表示される。
【００５４】
ＣＰＵ６０が、ステップ２０４で、ユーザがタッチパネルディスプレイ７６を縦方向にスワイプしたことを検出し、スワイプが下向きであると判定された場合（４回目）、検索結果表示領域Ａ１〜Ｄ４が全て表示されている状態で維持される（５回目以降も同様）。一方、各検索結果表示領域に表示されている表示データの表示位置が区間領域内で移動する。図２８Ｅに示すように、検索結果表示領域Ａ４に表示されていたテキスト検索結果ａ１（１）に関連する表示データが消去される。また、検索結果表示領域Ａ３に表示されていたテキスト検索結果ａ１（２）に関連する表示データの表示位置が検索結果表示領域Ａ４に移動する。また、検索結果表示領域Ａ２に表示されていたテキスト検索結果ａ１（３）に関連する表示データの表示位置が検索結果表示領域Ａ３に移動する。また、検索結果表示領域Ａ１に表示されていたテキスト検索結果ａ１（４）に関連する表示データの表示位置が検索結果表示領域Ａ２に移動する。また、検索結果表示領域Ａ１には、検索結果ａ１（４）の次の検索結果順位を有するテキスト検索結果ａ１（５）に関連する表示データが表示される。
【００５５】
上記のように、下向きのスワイプが検出される毎に、区間領域内で検索結果表示領域に表示されていた表示データがキー情報表示領域πから離隔する方向に移動する。また、キー情報表示領域πに隣接する検索結果表示領域Ａ１、Ｂ１、Ｃ１、Ｄ１には、スワイプが検出される前は表示されていなかった表示データが表示される。
【００５６】
図１４Ａの検索結果表示画面３０で、キー情報表示領域πに表示される画像及び検索結果表示領域Ａ１〜Ｄ４（図５参照）の各々に表示される表示データの一例を図１５に示す。キー情報表示領域πには、キー情報α（ｒ）に関連する画像が表示される。なお、ｒはテーブル番号である。ここでは、便宜上、図７Ｂに示す検索結果表示画面３０Ｂが表示された後、後述する縦方向スワイプ、横方向スワイプ、円弧状スワイプ、タップが複数回行われた後の検索結果表示画面３０を用いて説明する（以下、同様）。
【００５７】
図１４Ａで、検索結果表示領域Ａ１〜Ａ４には、キー情報α（ｒ）に対応付けて保存されているテーブル番号ｒで示される検索結果テーブルＳＲＴｒのテキスト検索結果列の管理番号ｋ＋３、ｋ＋２、ｋ＋１、ｋの検索結果に関連する表示データが各々表示される。検索結果テーブルＳＲＴｒのテキスト検索結果列の管理番号ｋ＋３、ｋ＋２、ｋ＋１、ｋの検索結果であるＵＲＬは、ａｒ（ｋ＋３）、ａｒ（ｋ＋２）、ａｒ（ｋ＋１）、ａｒ（ｋ）で示される。図１４Ａでは、検索結果テーブルＳＲＴｒのテキスト検索結果列の管理番号ｋ＋３、ｋ＋２、ｋ＋１、ｋの検索結果であるＵＲＬに関連する表示データを各々ａ（ｋ＋３）、ａ（ｋ＋２）、ａ（ｋ＋１）、ａ（ｋ）で示す。検索結果表示領域Ｂ１〜Ｂ４には、検索結果テーブルＳＲＴｒの類似画像検索結果列の管理番号ｋ＋３、ｋ＋２、ｋ＋１、ｋの検索結果に関連する表示データが各々表示される。検索結果テーブルＳＲＴｒの類似画像検索結果列の管理番号ｋ＋３、ｋ＋２、ｋ＋１、ｋの検索結果であるＵＲＬは、ｂｒ（ｋ＋３）、ｂｒ（ｋ＋２）、ｂｒ（ｋ＋１）、ｂｒ（ｋ）で示される。検索結果表示領域Ｃ１〜Ｃ４には、検索結果テーブルＳＲＴｒのリコメンド検索結果列の管理番号ｋ＋３、ｋ＋２、ｋ＋１、ｋの検索結果に関連する表示データが各々表示される。検索結果テーブルＳＲＴｒのリコメンド検索結果列の管理番号ｋ＋３、ｋ＋２、ｋ＋１、ｋの検索結果であるＵＲＬは、ｃｒ（ｋ＋３）、ｃｒ（ｋ＋２）、ｃｒ（ｋ＋１）、ｃｒ（ｋ）で示される。検索結果表示領域Ｄ１〜Ｄ４には、検索結果テーブルＳＲＴｒの類似ユーザ検索結果列の管理番号ｋ＋３、ｋ＋２、ｋ＋１、ｋの検索結果に関連する表示データが各々表示される。検索結果テーブルＳＲＴｒの類似ユーザ検索結果列の管理番号ｋ＋３、ｋ＋２、ｋ＋１、ｋの検索結果であるＵＲＬは、ｄｒ（ｋ＋３）、ｄｒ（ｋ＋２）、ｄｒ（ｋ＋１）、ｄｒ（ｋ）で示される。テキスト検索結果ａｒ（ｋ＋３）に関連する表示データが表示されている検索結果表示領域Ａ１には、ｒ＝１、ｋ＝１である場合、検索結果テーブルＳＲＴ１の管理番号４のテキスト検索結果ａ１（４）に関連する表示データが表示される。
【００５８】
ＣＰＵ６０が、図１３のステップ２０４で、ユーザがタッチパネルディスプレイ７６を縦方向にスワイプしたことを検出し、図１４Ａに矢印４２Ａで示すようにスワイプが下向きであると判定された場合、ステップ２０６で、表示データの表示位置を移動する。図１４Ｂにスワイプが行われた後の検索結果表示画面３０の一例を示す。図１４Ｂの検索結果表示画面３０で、キー情報表示領域π及び検索結果表示領域Ａ１〜Ｄ４の各々に表示される表示データの一例を図１６に示す。
【００５９】
キー情報表示領域πには、キー情報α（ｒ）に関連する画像が表示される。すなわち、キー情報表示領域πの表示は変更されない。検索結果表示領域Ａ１〜Ａ４には、検索結果テーブルＳＲＴｒのテキスト検索結果列の管理番号ｋ＋４、ｋ＋３、ｋ＋２、ｋ＋１の検索結果に関連する表示データが各々表示される。検索結果テーブルＳＲＴｒのテキスト検索結果列の管理番号ｋ＋４、ｋ＋３、ｋ＋２、ｋ＋１の検索結果であるＵＲＬは、ａｒ（ｋ＋４）、ａｒ（ｋ＋３）、ａｒ（ｋ＋２）、ａｒ（ｋ＋１）で示される。検索結果表示領域Ｂ１〜Ｂ４には、検索結果テーブルＳＲＴｒの類似画像検索結果列の管理番号ｋ＋４、ｋ＋３、ｋ＋２、ｋ＋１の検索結果に関連する表示データが各々表示される。検索結果テーブルＳＲＴｒの類似画像検索結果列の管理番号ｋ＋４、ｋ＋３、ｋ＋２、ｋ＋１の検索結果であるＵＲＬは、ｂｒ（ｋ＋４）、ｂｒ（ｋ＋３）、ｂｒ（ｋ＋２）、ｂｒ（ｋ＋１）で示される。検索結果表示領域Ｃ１〜Ｃ４には、検索結果テーブルＳＲＴｒのリコメンド検索結果列の管理番号ｋ＋４、ｋ＋３、ｋ＋２、ｋ＋１の検索結果に関連する表示データが各々表示される。検索結果テーブルＳＲＴｒのリコメンド検索結果列の管理番号ｋ＋４、ｋ＋３、ｋ＋２、ｋ＋１の検索結果であるＵＲＬは、ｃｒ（ｋ＋４）、ｃｒ（ｋ＋３）、ｃｒ（ｋ＋２）、ｃｒ（ｋ＋１）で示される。検索結果表示領域Ｄ１〜Ｄ４には、検索結果テーブルＳＲＴｒの類似ユーザ検索結果列の管理番号ｋ＋４、ｋ＋３、ｋ＋２、ｋ＋１の検索結果に関連する表示データが各々表示される。検索結果テーブルＳＲＴｒの類似ユーザ検索結果列の管理番号ｋ＋４、ｋ＋３、ｋ＋２、ｋ＋１の検索結果であるＵＲＬは、ｄｒ（ｋ＋４）、ｄｒ（ｋ＋３）、ｄｒ（ｋ＋２）、ｄｒ（ｋ＋１）で示される。
【００６０】
例えば、区間領域ＤＡ１の検索結果表示領域Ａ１〜Ａ４の４つについて、詳細に説明する。図１４Ａでは、テキスト検索結果列の管理番号ｋ＋３〜ｋの４つの検索結果が検索結果テーブルｒから抽出される。また、テキスト検索結果列の管理番号ｋ＋３〜ｋの４つの検索結果に関連する表示データが検索結果表示領域Ａ１〜Ａ４に各々表示される。図１４Ｂでは、テキスト検索結果列において管理番号を大きいほうに１つシフトした管理番号ｋ＋４〜ｋ＋１の検索結果が検索結果テーブルｒから抽出される。また、テキスト検索結果列の管理番号ｋ＋４〜ｋ＋１の検索結果に関連する表示データが検索結果表示領域Ａ１、Ａ２、Ａ３、Ａ４に各々表示される。区間領域ＤＡ２〜ＤＡ４についても同様である。
【００６１】
すなわち、検索結果表示領域Ａ１、Ｂ１、Ｃ１、Ｄ１に表示されていた表示データは、検索結果表示領域Ａ２、Ｂ２、Ｃ２、Ｄ２に各々表示位置が移動される。また、検索結果表示領域Ａ２、Ｂ２、Ｃ２、Ｄ２に表示されていた表示データは、検索結果表示領域Ａ３、Ｂ３、Ｃ３、Ｄ３に各々表示位置が移動される。また、検索結果表示領域Ａ３、Ｂ３、Ｃ３、Ｄ３に表示されていた表示データは、検索結果表示領域Ａ４、Ｂ４、Ｃ４、Ｄ４に各々表示位置が移動される。また、検索結果表示領域Ａ４、Ｂ４、Ｃ４、Ｄ４に表示されていた表示データは、消去される。また、検索結果表示領域Ａ１、Ｂ１、Ｃ１、Ｄ１には、検索結果表示領域Ａ１、Ｂ１、Ｃ１、Ｄ１に表示されていた表示データが関連する検索結果より管理番号が１つ大きい検索結果に関連する表示データが表示される。これにより、ユーザには、キー情報表示領域πから表示データが湧き出したかのように視認される。
【００６２】
図１４Ｃで、キー情報表示領域πには、キー情報α（ｒ）に関連する画像が表示される。検索結果表示領域Ａ１〜Ａ４には、検索結果テーブルＳＲＴｒのテキスト検索結果列の管理番号ｋ＋５、ｋ＋４、ｋ＋３、ｋ＋２の検索結果に関連する表示データが各々表示される。検索結果テーブルＳＲＴｒのテキスト検索結果列の管理番号ｋ＋５、ｋ＋４、ｋ＋３、ｋ＋２の検索結果であるＵＲＬは、ａｒ（ｋ＋５）、ａｒ（ｋ＋４）、ａｒ（ｋ＋３）、ａｒ（ｋ＋２）で示される。検索結果表示領域Ｂ１〜Ｂ４には、検索結果テーブルＳＲＴｒの類似画像検索結果列の管理番号ｋ＋５、ｋ＋４、ｋ＋３、ｋ＋２の検索結果に関連する表示データが各々表示される。検索結果テーブルＳＲＴｒの類似画像検索結果列の管理番号ｋ＋５、ｋ＋４、ｋ＋３、ｋ＋２の検索結果であるＵＲＬは、ｂｒ（ｋ＋５）、ｂｒ（ｋ＋４）、ｂｒ（ｋ＋３）、ｂｒ（ｋ＋２）で示される。検索結果表示領域Ｃ１〜Ｃ４には、検索結果テーブルＳＲＴｒのリコメンド検索結果列の管理番号ｋ＋５、ｋ＋４、ｋ＋３、ｋ＋２の検索結果に関連する表示データが各々表示される。検索結果テーブルＳＲＴｒのリコメンド検索結果列の管理番号ｋ＋５、ｋ＋４、ｋ＋３、ｋ＋２の検索結果であるＵＲＬは、ｃｒ（ｋ＋５）、ｃｒ（ｋ＋４）、ｃｒ（ｋ＋３）、ｃｒ（ｋ＋２）で示される。検索結果表示領域Ｄ１〜Ｄ４には、検索結果テーブルＳＲＴｒの類似ユーザ検索結果列の管理番号ｋ＋５、ｋ＋４、ｋ＋３、ｋ＋２の検索結果に関連する表示データが各々表示される。検索結果テーブルＳＲＴｒの類似ユーザ検索結果列の管理番号ｋ＋５、ｋ＋４、ｋ＋３、ｋ＋２の検索結果であるＵＲＬは、ｄｒ（ｋ＋５）、ｄｒ（ｋ＋４）、ｄｒ（ｋ＋３）、ｄｒ（ｋ＋２）で示される。
【００６３】
ＣＰＵ６０が、図１３のステップ２０４で、ユーザがタッチパネルディスプレイ７６を縦方向にスワイプしたことを検出し、図１４Ｃに矢印４２Ｂで示すようにスワイプが上向きであると判定された場合、ステップ２０６で、表示データの表示位置を移動する。図１４Ｂに表示データの表示位置を移動した後の検索結果表示画面３０の一例を示す。図１４Ｂの検索結果表示画面３０については上述したため、詳細は省略する。なお、スワイプが上向きの操作は、第２のタッチ操作の一例である。
【００６４】
例えば、区間領域ＤＡ１の検索結果表示領域Ａ１〜Ａ４の４つについて、詳細に説明する。図１４Ｃでは、テキスト検索結果列の管理番号ｋ＋５〜ｋ＋２の４つの検索結果が検索結果テーブルｒから抽出される。また、テキスト検索結果列の管理番号ｋ＋５〜ｋ＋２の４つの検索結果に関連する表示データが検索結果表示領域Ａ１〜Ａ４に各々表示される。図１４Ｂでは、テキスト検索結果列において管理番号を小さいほうに１つシフトした管理番号ｋ＋４〜ｋ＋１の検索結果が検索結果テーブルｒから抽出される。また、テキスト検索結果列の管理番号ｋ＋４〜ｋ＋１の検索結果に関連する画像が検索結果表示領域Ａ１、Ａ２、Ａ３、Ａ４に各々表示される。シフトの方向は、下向きのスワイプが検出された場合のシフトと逆の方向である。また、区間領域ＤＡ２〜ＤＡ４についても同様である。
【００６５】
すなわち、検索結果表示領域Ａ４、Ｂ４、Ｃ４、Ｄ４には、検索結果表示領域Ａ４、Ｂ４、Ｃ４、Ｄ４に表示されていた表示データが関連する検索結果より管理番号が１つ小さい検索結果に関連する表示データが表示される。検索結果表示領域Ａ４、Ｂ４、Ｃ４、Ｄ４に表示されていた表示データは、検索結果表示領域Ａ３、Ｂ３、Ｃ３、Ｄ３に各々表示位置が移動される。また、検索結果表示領域Ａ３、Ｂ３、Ｃ３、Ｄ３に表示されていた表示データは、検索結果表示領域Ａ２、Ｂ２、Ｃ２、Ｄ２に各々表示位置が移動される。また、検索結果表示領域Ａ２、Ｂ２、Ｃ２、Ｄ２に表示されていた表示データは、検索結果表示領域Ａ１、Ｂ１、Ｃ１、Ｄ１に各々表示位置が移動される。また、検索結果表示領域Ａ１、Ｂ１、Ｃ１、Ｄ１に表示されていた表示データは、消去される。これにより、ユーザには、キー情報表示領域πに表示データが引き込まれたかのように視認される。
【００６６】
このように、ユーザの縦方向のスワイプに従い、表示データがキー情報表示領域πから湧き出したかのように、もしくは、キー情報表示領域πに引き込まれたかのように、ユーザが視認するように、表示データの表示位置が変更される。これにより、キー情報及びキー情報に基づいて検索された複数の検索結果のうちキー情報に隣接して表示される４つの検索結果をまとめて短時間で把握可能に表示することが可能となる。また、ユーザは、２次元のディスプレイに表示された検索結果表示画面でトンネルの中を前進または後退するような奥行き感を体験することが可能となる（図２０）。
【００６７】
また、キー情報表示領域にキー情報に関連する情報として画像を表示し、検索結果領域の各々に、検索結果に関連する情報として画像を表示することで、ユーザは検索結果を直感的に認識することが可能となる。
【００６８】
図１３のステップ２０８で、ＣＰＵ６０は、ユーザがタッチパネルディスプレイ７６を円弧状にスワイプしたか否かを判定し、判定が肯定された場合、ステップ２１０で、ＣＰＵ６０が、検索結果表示領域のデータの表示位置を回転移動させる。判定が否定された場合、ステップ２１２に進む。
【００６９】
図１８に、図１７Ａの検索結果表示画面３０のキー情報表示領域πに表示されるキー情報に関連する画像及び検索結果表示領域Ａ１〜Ｄ４に表示される表示データを示す。図１７Ａの検索結果表示画面３０は、図１４Ｂの検索結果表示画面３０と同様であるため、詳細は省略する。
【００７０】
ステップ２０８で、ＣＰＵ６０が、ユーザがタッチパネルディスプレイ７６を円弧状にスワイプしたことを検出し、図１７Ａに矢印４２Ｃで示すようにスワイプの方向が時計回りである場合、ステップ２１０で、ＣＰＵ６０は、表示データの表示位置を移動する。図１７Ｂに時計回りのスワイプが検出された場合の検索結果表示画面３０を示す。図１７Ｂ及び図１８に一例を示すように、キー情報表示領域πには、キー情報α（ｒ）に関連する画像が表示される。すなわち、キー情報表示領域πの表示は変更されない。図１８のテーブル右端の矢印で示されるように、検索結果表示領域Ａ１〜Ａ４には、検索結果テーブルＳＲＴｒの類似ユーザ検索結果列の管理番号ｋ＋４、ｋ＋３、ｋ＋２、ｋ＋１の検索結果に関連する表示データが各々表示される。検索結果テーブルＳＲＴｒの類似ユーザ検索結果列の管理番号ｋ＋４、ｋ＋３、ｋ＋２、ｋ＋１の検索結果であるＵＲＬは、ｄｒ（ｋ＋４）、ｄｒ（ｋ＋３）、ｄｒ（ｋ＋２）、ｄｒ（ｋ＋１）で示される。検索結果表示領域Ｂ１〜Ｂ４には、検索結果テーブルＳＲＴｒのテキスト検索結果列の管理番号ｋ＋４、ｋ＋３、ｋ＋２、ｋ＋１の検索結果に関連する表示データが各々表示される。検索結果テーブルＳＲＴｒのテキスト検索結果列の管理番号ｋ＋４、ｋ＋３、ｋ＋２、ｋ＋１の検索結果であるＵＲＬは、ａｒ（ｋ＋４）、ａｒ（ｋ＋３）、ａｒ（ｋ＋２）、ａｒ（ｋ＋１）で示される。検索結果表示領域Ｃ１〜Ｃ４には、検索結果テーブルＳＲＴｒの類似画像検索結果列の管理番号ｋ＋４、ｋ＋３、ｋ＋２、ｋ＋１の検索結果に関連する表示データが各々表示される。検索結果テーブルＳＲＴｒの類似画像検索結果列の管理番号ｋ＋４、ｋ＋３、ｋ＋２、ｋ＋１の検索結果であるＵＲＬは、ｂｒ（ｋ＋４）、ｂｒ（ｋ＋３）、ｂｒ（ｋ＋２）、ｂｒ（ｋ＋１）で示される。検索結果表示領域Ｄ１〜Ｄ４には、検索結果テーブルＳＲＴｒのリコメンド検索結果列の管理番号ｋ＋４、ｋ＋３、ｋ＋２、ｋ＋１の検索結果に関連する表示データが各々表示される。検索結果テーブルＳＲＴｒのリコメンド検索結果列の管理番号ｋ＋４、ｋ＋３、ｋ＋２、ｋ＋１の検索結果であるＵＲＬは、ｃｒ（ｋ＋４）、ｃｒ（ｋ＋３）、ｃｒ（ｋ＋２）、ｃｒ（ｋ＋１）で示される。なお、スワイプが時計回りの操作は、第３のタッチ操作の一例である。
【００７１】
すなわち、区画領域ＤＡ１の検索結果表示領域Ａ１〜Ａ４に表示されていた表示データは、区画領域ＤＡ２の検索結果表示領域Ｂ１〜Ｂ４に各々表示位置が移動される。また、区画領域ＤＡ２の検索結果表示領域Ｂ１〜Ｂ４に表示されていた表示データは、区画領域ＤＡ３の検索結果表示領域Ｃ１〜Ｃ４に各々表示位置が移動される。また、区画領域ＤＡ３の検索結果表示領域Ｃ１〜Ｃ４に表示されていた表示データは、区画領域ＤＡ４の検索結果表示領域Ｄ１〜Ｄ４に各々表示位置が移動される。区画領域ＤＡ４の検索結果表示領域Ｄ１〜Ｄ４に表示されていた表示データは、区画領域ＤＡ１の検索結果表示領域Ａ１〜Ａ４に各々表示位置が移動される。すなわち、区画領域の各々に表示されていた検索結果に関連する情報の各々の表示位置を、時計回りの進行方向に存在する区画領域の検索結果表示領域へ各々移動させる。これにより、ユーザには、検索結果表示領域に表示されている表示データが時計回りに回転したかのように視認される。
【００７２】
図１７Ｃに一例を示す検索結果表示画面３０では、キー情報表示領域πには、キー情報α（ｒ）に関連する画像が表示される。検索結果表示領域Ａ１〜Ａ４には、検索結果テーブルＳＲＴｒのリコメンド検索結果列の管理番号ｋ＋４、ｋ＋３、ｋ＋２、ｋ＋１の検索結果に関連する表示データが各々表示される。検索結果テーブルＳＲＴｒのリコメンド検索結果列の管理番号ｋ＋４、ｋ＋３、ｋ＋２、ｋ＋１の検索結果であるＵＲＬは、ｃｒ（ｋ＋４）、ｃｒ（ｋ＋３）、ｃｒ（ｋ＋２）、ｃｒ（ｋ＋１）で示される。検索結果表示領域Ｂ１〜Ｂ４には、検索結果テーブルＳＲＴｒの類似ユーザ検索結果列の管理番号ｋ＋４、ｋ＋３、ｋ＋２、ｋ＋１の検索結果に関連する表示データが各々表示される。検索結果テーブルＳＲＴｒの類似ユーザ検索結果列の管理番号ｋ＋４、ｋ＋３、ｋ＋２、ｋ＋１の検索結果であるＵＲＬは、ｄｒ（ｋ＋４）、ｄｒ（ｋ＋３）、ｄｒ（ｋ＋２）、ｄｒ（ｋ＋１）で示される。検索結果表示領域Ｃ１〜Ｃ４には、検索結果テーブルＳＲＴｒのテキスト検索結果列の管理番号ｋ＋４、ｋ＋３、ｋ＋２、ｋ＋１の検索結果に関連する表示データが各々表示される。検索結果テーブルＳＲＴｒのテキスト検索結果列の管理番号ｋ＋４、ｋ＋３、ｋ＋２、ｋ＋１の検索結果であるＵＲＬは、ａｒ（ｋ＋４）、ａｒ（ｋ＋３）、ａｒ（ｋ＋２）、ａｒ（ｋ＋１）で示される。検索結果表示領域Ｄ１〜Ｄ４には、検索結果テーブルＳＲＴｒの類似画像検索結果列の管理番号ｋ＋４、ｋ＋３、ｋ＋２、ｋ＋１の検索結果に関連する表示データが各々表示される。検索結果テーブルＳＲＴｒの類似画像検索結果列の管理番号ｋ＋４、ｋ＋３、ｋ＋２、ｋ＋１の検索結果であるＵＲＬは、ｂｒ（ｋ＋４）、ｂｒ（ｋ＋３）、ｂｒ（ｋ＋２）、ｂｒ（ｋ＋１）で示される。
【００７３】
ステップ２０８で、ＣＰＵ６０が、ユーザがタッチパネルディスプレイ７６を円弧状にスワイプしたことを検出し、図１７Ｃに矢印４２Ｄで示すようにスワイプの方向が反時計回りである場合、ステップ２１０で、ＣＰＵ６０は、表示データの表示位置を移動する。図１７Ｂに反時計回りのスワイプが検出された場合の検索結果表示画面３０を示す。図１７Ｂの検索結果表示画面３０については上述したため詳細は省略する。なお、スワイプが反時計回りの操作は第４のタッチ操作の一例である。
【００７４】
すなわち、区画領域ＤＡ１の検索結果表示領域Ａ１〜Ａ４に表示されていた表示データは、区画領域ＤＡ４の検索結果表示領域Ｄ１〜Ｄ４に各々表示位置が移動される。また、区画領域ＤＡ４の検索結果表示領域Ｄ１〜Ｄ４に表示されていた表示データは、区画領域ＤＡ３の検索結果表示領域Ｃ１〜Ｃ４に各々表示位置が移動される。また、区画領域ＤＡ３の検索結果表示領域Ｃ１〜Ｃ４に表示されていた表示データは、区画領域ＤＡ２の検索結果表示領域Ｂ１〜Ｂ４に各々表示位置が移動される。区画領域ＤＡ２の検索結果表示領域Ｂ１〜Ｂ４に表示されていた表示データは、区画領域ＤＡ１の検索結果表示領域Ａ１〜Ａ４に各々表示位置が移動される。すなわち、区画領域の各々に表示されていた検索結果に関連する情報の各々の表示位置を、反時計回りの進行方向に存在する区画領域の検索結果表示位置に各々移動させる。これにより、ユーザには、検索結果表示領域に表示されている表示データが反時計回りに回転したかのように視認される。
【００７５】
このように、ユーザの円弧状のスワイプに従い、表示データの表示位置が時計回りまたは反時計回りにルーレットのように回転したかのように移動する。これにより、ユーザは、片手でスマートデバイスを操作している場合、操作が容易な位置に表示データの表示位置を回転移動させることが可能となる。また、ユーザは、視認が容易な位置に表示データの表示位置を回転移動させることが可能となる。
【００７６】
ステップ２１２で、ＣＰＵ６０が、ユーザがタッチパネルディスプレイ７６をタップしたか否かを判定し、判定が肯定された場合、ステップ２１４で、キー情報を変更し、ステップ２１６で、変更したキー情報を用いて検索を行う。ステップ２１８で、ＣＰＵ６０は、検索結果表示領域に検索結果を表示する。ステップ２１２で判定が否定された場合、ＣＰＵ６０はステップ２２０に進む。
【００７７】
図１９Ａに検索結果表示画面３０の一例を示す。図１９Ａの検索結果表示画面３０は、図１４Ｂの検索結果表示画面３０と同様であるため、詳細は省略する。
【００７８】
ステップ２１２で、ＣＰＵ６０が、図１９Ａに示すように、ユーザがタッチパネルディスプレイ７６の丸印４２Ｅで示す位置をタップしたことを検出した場合、図１９Ｂに示すように、ＣＰＵ６０は、ウェブページを表示する。詳細には、タップされた位置にある検索結果表示領域に表示されていた表示データｂ（ｋ＋４）が関連するＵＲＬであるｂｒ（ｋ＋４）で示されるウェブページを表示する。また、ウェブページの表示の下に検索ボタン４４を表示する。ＣＰＵ６０が、図１９Ｂに示すように、ユーザが検索ボタン４４をタップしたことを検出すると、ステップ２１４で、ＣＰＵ６０は、図１９Ｂに表示されるウェブページのＵＲＬであるｂｒ（ｋ＋４）をキー情報として設定する。図３に示す検索結果管理テーブル２６の最大のテーブル番号がｒである場合、ｒに１加算した値であるｒ＋１をテーブル番号とし、当該テーブル番号と対応させて、キー情報として図１９Ｂに表示されるウェブページのＵＲＬを保存する。ステップ２１６で、ＣＰＵ６０は、図８に詳細を示す検索処理を行う。この検索処理については、上述したため、説明を省略する。検索結果テーブルＳＲＴｒ＋１が生成され、生成された検索結果テーブルにステップ２１６で行われた検索結果が保存される。ステップ２１８で、ＣＰＵ６０は、図１９Ｃに示すように、検索結果表示画面３０Ｆを表示する。ｒは、タップする前の検索の順番（検索履歴の順番）であり（図１９Ａ）、ｒ＋１は、タップして検索した後の検索の順番を示す（図１９Ｃ）。ｒ＝１である場合、最初に行われた検索であることを示す。なお、０を最初に行われた検索の順番としてもよい。なお、タップは、第５のタッチ操作の一例である。
【００７９】
検索結果表示画面３０Ｆは、キー情報表示領域π、検索結果表示領域Ａ１、Ｂ１、Ｃ１、Ｄ１を含む。キー情報表示領域πには、キー情報α（ｒ＋１）すなわちｂｒ（ｋ＋４）に関連する画像が表示される。
【００８０】
検索結果表示領域Ａ１には、検索結果テーブルＳＲＴｒ＋１のテキスト検索結果列に保存されている管理番号１のａｒ＋１（１）で示されるＵＲＬに関連する表示データが表示される。検索結果表示領域Ｂ１には、検索結果テーブルＳＲＴｒ＋１の類似画像検索結果列に保存されている管理番号１のｂｒ＋１（１）で示されるＵＲＬに関連する表示データが表示される。検索結果表示領域Ｃ１には、検索結果テーブルＳＲＴｒ＋１のリコメンド検索結果列に保存されている管理番号１のｃｒ＋１（１）で示されるＵＲＬに関連する表示データが表示される。検索結果表示領域Ｄ１には、検索結果テーブルＳＲＴｒ＋１の類似ユーザ検索結果列に保存されている管理番号１のｄｒ＋１（１）で示されるＵＲＬに関連する表示データが表示される。
【００８１】
詳細には、図７Ｃに示す靴の画像が表示された検索結果表示領域Ａ１がタップされると、図７Ｄに示すように靴の画像が拡大表示される。さらに、拡大表示された靴の画像の下に表示される選択ボタン４６がタップされると、図７Ｅに示すように靴の画像が抽出されたウェブページが表示される。ウェブページの表示の下に表示される検索ボタン４４がタップされると、表示されているウェブページのＵＲＬをキー情報に設定し、表示されているウェブページから抽出されたキーによって検索が行われる。また、図７Ｆに示すように、この検索による検索結果表示画面３０Ｆが表示される。検索結果表示画面３０Ｆのキー情報表示領域πにはキー情報に関連する画像として靴が表示される。
【００８２】
上記した検索の連鎖を図２０に示す概念図で説明する。円錐５２Ａは、α（ｒ）をキー情報として行われた検索結果を概念的に示している。テキスト検索結果に関連する表示データａ（３）を表示する検索結果表示領域がタップされると、テキスト検索結果ａｒ（３）をキー情報α（ｒ＋１）に設定して検索が行われる。円錐５２Ｂは、α（ｒ＋１）をキー情報として行われた検索結果を概念的に示している。類似画像検索結果に関連する表示データｂ（５）を表示する検索結果表示領域がタップされると、ｂｒ＋１（５）をキー情報α（ｒ＋２）に設定して検索が行われる。円錐５２Ｃは、α（ｒ＋２）をキー情報として行われた検索結果を概念的に示している。
【００８３】
このように、ユーザのタップに従い、キー情報を変更した検索が行われ、検索結果がユーザに提示される。これにより、ユーザは、検索のキーを言語化したり、絞り込んだりせず、検索結果に関連する大量の表示データを高速に閲覧することが可能となる。また、これにより、ユーザは、提示される情報から情報へ飛び移るように自由な検索を楽しむことが可能となり、発見の喜びを体験することが可能となる。
【００８４】
ステップ２２０で、ＣＰＵ６０は、ユーザがタッチパネルディスプレイ７６を横方向にスワイプしたか否かを判定する。判定が肯定された場合、ステップ２２２で、ＣＰＵ６０が、異なるキー情報であるＵＲＬで示されるウェブページから抽出したキーを用いて検索された検索結果を検索結果表示領域に表示する。判定が否定された場合、ステップ２２４に進む。
【００８５】
図２１Ａに一例を示す検索結果表示画面３０は、図１４Ｂと同様であるため、詳細は省略する。
【００８６】
ステップ２２０で、ＣＰＵ６０が、ユーザがタッチパネルディスプレイ７６を横方向にスワイプしたことを検出し、図２１Ａに矢印４２Ｆで示すようにスワイプが右向きであると判定された場合、ステップ２２２で、ＣＰＵ６０は、表示を変更する。スワイプが右向きである操作とは、例えば、検索ｒの直後に行った検索ｒ＋１に１つ遷移する操作である。なお、スワイプが右向きの操作は、第６のタッチ操作の一例である。
【００８７】
図２２に示すように、図２１Ｂでは、キー情報表示領域πには、キー情報α（ｒ＋１）に関連する画像が表示される。検索結果表示領域Ａ１〜Ａ４には、検索結果テーブルＳＲＴｒ＋１のテキスト検索結果列の管理番号ｋ＋４、ｋ＋３、ｋ＋２、ｋ＋１の検索結果に関連する表示データが各々表示される。検索結果テーブルＳＲＴｒ＋１のテキスト検索結果列の管理番号ｋ＋４、ｋ＋３、ｋ＋２、ｋ＋１の検索結果であるＵＲＬは、ａｒ＋１（ｋ＋４）、ａｒ＋１（ｋ＋３）、ａｒ＋１（ｋ＋２）、ａｒ＋１（ｋ＋１）で示される。検索結果表示領域Ｂ１〜Ｂ４には、検索結果テーブルＳＲＴｒ＋１の類似画像検索結果列の管理番号ｋ＋４、ｋ＋３、ｋ＋２、ｋ＋１の検索結果に関連する表示データが各々表示される。検索結果テーブルＳＲＴｒ＋１の類似画像検索結果列の管理番号ｋ＋４、ｋ＋３、ｋ＋２、ｋ＋１の検索結果であるＵＲＬは、ｂｒ＋１（ｋ＋４）、ｂｒ＋１（ｋ＋３）、ｂｒ＋１（ｋ＋２）、ｂｒ＋１（ｋ＋１）で示される。検索結果表示領域Ｃ１〜Ｃ４には、検索結果テーブルＳＲＴｒ＋１のリコメンド検索結果列の管理番号ｋ＋４、ｋ＋３、ｋ＋２、ｋ＋１の検索結果に関連する表示データが各々表示される。検索結果テーブルＳＲＴｒ＋１のリコメンド検索結果列の管理番号ｋ＋４、ｋ＋３、ｋ＋２、ｋ＋１の検索結果であるＵＲＬは、ｃｒ＋１（ｋ＋４）、ｃｒ＋１（ｋ＋３）、ｃｒ＋１（ｋ＋２）、ｃｒ＋１（ｋ＋１）で示される。検索結果表示領域Ｄ１〜Ｄ４には、検索結果テーブルＳＲＴｒ＋１の類似ユーザ検索結果列の管理番号ｋ＋４、ｋ＋３、ｋ＋２、ｋ＋１の検索結果に関連する表示データが各々表示される。検索結果テーブルＳＲＴｒ＋１の類似ユーザ検索結果列の管理番号ｋ＋４、ｋ＋３、ｋ＋２、ｋ＋１の検索結果であるＵＲＬは、ｄｒ＋１（ｋ＋４）、ｄｒ＋１（ｋ＋３）、ｄｒ＋１（ｋ＋２）、ｄｒ＋１（ｋ＋１）で示される。
【００８８】
詳細には、図２１Ａでは、キー情報α（ｒ）で示されるＵＲＬで示されるウェブページから抽出されたキーによる検索結果に関連する表示データが表示されている。図２１Ａに示すように、右向きのスワイプが検出されると、図２１Ｂで、キー情報α（ｒ＋１）で示されるＵＲＬで示されるウェブページから抽出されたキーによる検索結果を表示する。
【００８９】
図２１Ｃでは、キー情報表示領域πには、キー情報α（ｒ＋２）に関連する画像が表示される。検索結果表示領域Ａ１〜Ａ４には、検索結果テーブルＳＲＴｒ＋２のテキスト検索結果列の管理番号ｋ＋４、ｋ＋３、ｋ＋２、ｋ＋１の検索結果に関連する表示データが各々表示される。検索結果テーブルＳＲＴｒ＋２のテキスト検索結果列の管理番号ｋ＋４、ｋ＋３、ｋ＋２、ｋ＋１の検索結果であるＵＲＬは、ａｒ＋２（ｋ＋４）、ａｒ＋２（ｋ＋３）、ａｒ＋２（ｋ＋２）、ａｒ＋２（ｋ＋１）で示される。検索結果表示領域Ｂ１〜Ｂ４には、検索結果テーブルＳＲＴｒ＋２の類似画像検索結果列の管理番号ｋ＋４、ｋ＋３、ｋ＋２、ｋ＋１の検索結果に関連する表示データが各々表示される。検索結果テーブルＳＲＴｒ＋２の類似画像検索結果列の管理番号ｋ＋４、ｋ＋３、ｋ＋２、ｋ＋１の検索結果であるＵＲＬは、ｂｒ＋２（ｋ＋４）、ｂｒ＋２（ｋ＋３）、ｂｒ＋２（ｋ＋２）、ｂｒ＋２（ｋ＋１）で示される。検索結果表示領域Ｃ１〜Ｃ４には、検索結果テーブルＳＲＴｒ＋２のリコメンド検索結果列の管理番号ｋ＋４、ｋ＋３、ｋ＋２、ｋ＋１の検索結果に関連する表示データが各々表示される。検索結果テーブルＳＲＴｒ＋２のリコメンド検索結果列の管理番号ｋ＋４、ｋ＋３、ｋ＋２、ｋ＋１の検索結果であるＵＲＬは、ｃｒ＋２（ｋ＋４）、ｃｒ＋２（ｋ＋３）、ｃｒ＋２（ｋ＋２）、ｃｒ＋２（ｋ＋１）で示される。検索結果表示領域Ｄ１〜Ｄ４には、検索結果テーブルＳＲＴｒ＋２の類似ユーザ検索結果列の管理番号ｋ＋４、ｋ＋３、ｋ＋２、ｋ＋１の検索結果に関連する表示データが各々表示される。検索結果テーブルＳＲＴｒ＋２の類似ユーザ検索結果列の管理番号ｋ＋４、ｋ＋３、ｋ＋２、ｋ＋１の検索結果であるＵＲＬは、ｄｒ＋２（ｋ＋４）、ｄｒ＋２（ｋ＋３）、ｄｒ＋２（ｋ＋２）、ｄｒ＋２（ｋ＋１）で示される。
【００９０】
ステップ２２０で、ＣＰＵ６０が、ユーザがタッチパネルディスプレイ７６を横方向にスワイプしたことを検出し、図２１Ｃに矢印４２Ｇで示すようにスワイプが左向きであると判定された場合、ステップ２２２で、ＣＰＵ６０は、表示を変更する。スワイプが左向きである操作とは、例えば、検索ｒ＋２の直前に行った検索ｒ＋１に、１つ遷移する操作である。なお、スワイプが左向きの操作は、第７のタッチ操作の一例である。
【００９１】
図２１Ｂの検索結果表示画面３０については、上述したため、詳細は省略する。
【００９２】
詳細には、図２１Ｃでは、キー情報α（ｒ＋２）で示されるＵＲＬで示されるウェブページから抽出されたキーによる検索結果が表示されている。また、図２１Ｂに示すように、左向きのスワイプが検出されると、キー情報α（ｒ＋１）で示されるＵＲＬで示されるウェブページから抽出したキーによる検索結果を表示する。
【００９３】
このように、ユーザの横方向のスワイプに従い、キー情報が変更され、異なるキー情報で示されるＵＲＬで示されるウェブページから抽出されたキーによる検索結果が表示される。これにより、ユーザは、異なるキー情報に基づいて行った検索結果の履歴を容易に閲覧することが可能となる。
【００９４】
ステップ２２４で、タッチパネルディスプレイ７６に表示される図示しない終了ボタンがユーザによってタップされたか否かを判定する。判定が肯定されると、ＣＰＵ６０は、検索結果表示処理を終了する。判定が否定されると、ＣＰＵ６０は、ステップ２０２に戻る。
【００９５】
なお、上記では、ユーザがスワイプ操作を１度行う毎に、検索結果表示領域１つ分ずつ表示データが移動する例を説明したが、開示の技術はこれに限定されない。例えば、スワイプの長さに基づいて、表示が複数の検索結果表示領域分移動するようにしてもよい。また、スワイプ操作が行われると、表示データの表示位置の移動を開始し、その後、タップ操作等の別の操作が行われると、表示データの表示位置の移動を終了するようにしてもよい。
【００９６】
なお、上記では、キー情報表示領域πの外郭線３２及び境界線ＥＬ１〜ＥＬ４が円で示されているが、開示の技術はこれに限定されるものではない。例えば、図２３に例示するように、キー情報表示領域π’の外郭線３２’及び境界線ＥＬ１’〜ＥＬ３’は多角形であってもよい。
【００９７】
なお、上記では、開示の技術に係る情報処理装置の一例としてスマートデバイス１０を用いて説明したが、開示の技術は、これに限定されるものではない。例えば、図２４に例示するように、スマートウォッチ１０Ａ、タブレット１０Ｂ、及びデスクトップ型パーソナルコンピュータ１０Ｃなどの種々の情報処理装置に適用可能である。
【００９８】
なお、上記では、区画領域毎の検索結果表示領域の数を４つとしたが、開示の技術はこれに限定されない。例えば、スマートウォッチ１０Ａなどのように、ディスプレイのサイズが小さい場合、図２５に例示するように、区画領域毎の検索結果表示領域の数は、１つでもよい。また、例えば、デスクトップ型パーソナルコンピュータ１０Ｃなどのように、ディスプレイのサイズが大きい場合、区画領域毎の検索結果表示領域の数は、５つ以上であってもよい。
【００９９】
また、図２５に例示するように、区画線の伸びる方向も任意であってよいが、区画線の延長線と当該区画線に隣接する区画線の延長線とが交差する角度は全て等しくなるように設定されることが望ましい。これにより、異なる区画領域に表示される検索結果表示領域に表示される表示データがユーザに与える印象が等しくなるためである。
【０１００】
なお、上記では、区画領域毎の検索結果表示領域が４つに設定されている場合でも、起動の直後、検索の直後などの場合に、区画領域毎の検索結果表示領域を１つとして、検索結果順位が１番高い検索結果に関連する表示データのみを表示する例について説明した。しかしながら、開示の技術はこれに限定されない。例えば、起動の直後、検索の直後であっても、区画領域毎に４つの検索結果表示領域を表示し、４つの検索結果表示領域に任意の連続する検索結果順位を有する４つの検索結果に関連する表示データを表示してもよい。
【０１０１】
なお、上記では、検索を行い、当該検索の結果の表示データを検索結果表示画面に表示する例について説明したが、開示の技術はこれに限定されない。例えば、検索結果テーブルＳＲＴ及び検索結果管理テーブル２６を２次記憶部６４に保存しておき、当該検索結果テーブルＳＲＴ及び検索結果管理テーブル２６に含まれるデータを用いて検索結果表示画面３０を表示してもよい。また、検索結果テーブルＳＲＴ及び検索結果管理テーブル２６をクラウド上に保存してもよいし、検索結果テーブルＳＲＴ及び検索結果管理テーブル２６をクラウドから受信してもよい。クラウド上に保存された検索結果テーブルＳＲＴ及び検索結果管理テーブル２６は、検索を行った情報処理装置または異なる情報処理装置で再利用してもよい。また、検索結果テーブルＳＲＴ及び検索結果管理テーブル２６を複数の異なる情報処理装置間で共有し、必要に応じて検索結果テーブルＳＲＴ及び検索結果管理テーブル２６を受信してもよい。
【０１０２】
なお、上記では、人間が１度に把握しやすい量であるため、検索の種類を４種類としたが、開示の技術は、これに限定されるものではない。例えば、検索の種類は３種類または５種類であってもよい。区画領域の数は検索の種類の数によって変動する。
【０１０３】
なお、上記では、検索の種類として、テキスト検索、類似画像検索、リコメンド検索、類似ユーザ検索を挙げたが、開示の技術はこれに限定されない。例えば、キー情報であるＵＲＬで示されるウェブページに含まれる月日に関連するイベントの検索を行ってもよい。
【０１０４】
なお、上記では、インターネット上で提供されている検索エンジンでインターネット上にあるデータから検索を行う場合について説明したが、開示の技術はこれに限定されない。例えば、図２６及び図２７に例示するスマートデバイス１０を用いて、図２７に示すスマートデバイス１０の２次記憶部６４に保存されている被検索データ６８から検索を行うようにしてもよい。図２６に例示するスマートデバイス１０と図１に例示するスマートデバイス１０との差異は、通信部１８の有無である。また、図２７に例示するスマートデバイス１０と図４に例示するスマートデバイス１０の差異は、被検索データ６８及び通信サブプログラム６６Ｄの有無である。図２６及び図２７に例示されているスマートデバイス１０は、インターネット上で提供されている検索エンジンを使用しない。このため、検索エンジンに指示を送信する、または、検索エンジンから検索結果を受信するための通信部１８及び通信サブプログラム６６Ｄを有さなくてもよい。例えば、博物館、美術館、または図書館などのガイドのために貸し出されるスマートデバイスで、予め被検索データが当該スマートデバイスの２次記憶部に記憶されている場合などが想定される。また、個人で所有している大量の音楽データ、または電子書籍データなどの検索に適用される場合なども想定される。
【０１０５】
なお、キー情報表示領域πには、キー情報で示されるＵＲＬで示されるウェブページから抽出された画像が表示されていることについて説明したが、開示の技術はこれに限定されない。例えば、画像に代えて、テキストデータ、ＵＲＬデータなどが表示されてもよい。
【０１０６】
なお、検索結果表示領域Ａ１〜Ａ４に表示データであるディスクリプション及び画像を表示する例について説明したが、開示の技術はこれに限定されない。例えば、表示データは、テキストデータ、または、音声データまたは動画データを再生するためのアイコンであってもよい。
【０１０７】
なお、図７Ｃで検索結果表示領域をタップした場合、図７Ｄに示すように、検索結果表示領域に表示されている画像を拡大表示する例について説明したが、開示の技術はこれに限定されない。例えば、検索結果表示領域を長押しまたはダブルタップすることにより、図７Ｆに示す検索結果表示画面３０Ｆを表示してもよい。
【０１０８】
また、図７Ｄの選択ボタン４６をタップすることにより図７Ｅに示すようにウェブページを表示する例について説明したが、開示の技術はこれに限定されない。例えば、図７Ｄの選択ボタン４６を長押しまたはダブルタップすることにより、図７Ｆに示す検索結果表示画面３０Ｆを表示してもよい。
【０１０９】
また、図７Ｄで、戻りボタン４７をタップすることにより、図７Ｃの検索結果表示画面３０Ｃに戻ることが可能である。また、シェアボタン４８をタップすることにより拡大表示された検索結果領域に表示されている画像が抽出されたＵＲＬまたは拡大表示された検索結果領域に表示されている画像を他のユーザとシェアすることが可能である。また、図７Ｅで、戻りボタン４７’をタップすることにより、図７Ｄの画像の拡大表示を含む画面３０Ｄに戻ることが可能である。また、シェアボタン４８’をタップすることにより表示されたウェブページのＵＲＬを他のユーザとシェアすることが可能である。
【０１１０】
なお、スマートデバイスに搭載されている温度センサ、湿度センサ、ＧＰＳなどにより検知された各種データを検索に適用するようにしてもよい。例えば、ＧＰＳにより検知されるユーザの現在位置に近い位置で撮影された画像を有するウェブページを検索するようにしてもよい。また、ユーザのソーシャルネットワークサービスの利用履歴、またはニュースなどの購読履歴などのデータを検索に適用するようにしてもよい。また、例えば、検索実行時の日時に近い更新日時を有するウェブページの検索を行ってもよい。これにより、ユーザの期待により適合する検索結果をユーザに提示することが可能となる。
【０１１１】
なお、上記では、縦方向のスワイプ操作、横方向のスワイプ操作、円弧状のスワイプ操作、及びタップ操作などを用いた例について説明したが、開示の技術はこれに限定されない。これらの操作によれば、ユーザが直感的に検索結果表示画面を操作することが可能であるが、同様にユーザが直感的に検索結果表示画面を操作することが可能であるような他のタッチ操作が用いられてもよい。
【０１１２】
なお、上記では、検索結果表示プログラム６６が、２次記憶部６４に予め記憶（インストール）されている態様を説明した。しかしながら、検索結果表示プログラム６６は、ＣＤ−ＲＯＭやＤＶＤ−ＲＯＭ等の非一時的記録媒体に記録されている形態で提供することも可能である。また、検索結果表示プログラム６６は遠隔のサーバに記憶されていてもよい。例えば、スマートデバイスは、インターネットなどの通信回線を介して遠隔のサーバに記憶されている検索結果表示プログラム６６の実行結果を受信し、開示の技術の検索結果表示画面をスマートデバイスのディスプレイに表示してもよい。
【０１１３】
開示の技術では、ユーザの縦方向のスワイプに従い、表示データがキー情報表示領域πから湧き出すように、もしくは、表示データがキー情報表示領域πに引き込まれるように、表示データの表示位置が変更される。これにより、キー情報及びキー情報に基づいて検索された複数の検索結果をまとめて短時間で把握可能に表示することが可能となる。また、ユーザは、２次元のディスプレイに表示された検索結果表示画面でトンネルの中を前進または後退するような奥行き感を体験することが可能となる。
【０１１４】
また、検索結果領域の各々には、検索結果に関連する情報として画像を表示するので、ユーザは検索結果を直感的に認識することが可能となる。
【０１１５】
また、開示の技術では、ユーザの円弧状のスワイプに従い、表示データが時計回りまたは反時計回りにルーレットのように回転するように移動する。これにより、ユーザは、片手でスマートデバイスを操作している場合、操作が容易な位置に表示データの表示位置を回転移動させることが可能となる。また、ユーザは、視認が容易な位置に表示データの表示位置を回転移動させることが可能となる。
【０１１６】
また、開示の技術では、ユーザのタップに従い、キー情報を変更した検索が行われ、検索結果がユーザに提示される。これにより、ユーザは、検索のキーを言語化したり、絞り込んだりせず、検索結果に関連する大量の表示データを高速に閲覧することが可能となる。また、これにより、ユーザは、提示される情報から情報へ飛び移るように自由な検索を楽しむことが可能となり、発見の喜びを体験することが可能となる。
【０１１７】
また、開示の技術では、ユーザの横方向のスワイプに従い、異なるキー情報に基づいた検索結果が表示される。これにより、ユーザは、異なるキー情報に基づいて行った検索結果の履歴を容易に閲覧することが可能となる。
【０１１８】
以上の実施形態に関し、更に以下の付記を開示する。
（付記１）
検索結果の順位と検索の種類と検索結果とが各々対応付けられた情報を記憶する第１記憶部を有するコンピュータに、
キー情報に関連する情報を表示するキー情報表示領域と、互いに異なる放射方向に沿って配列された複数の検索結果表示領域を各々含み、前記キー情報表示領域の周囲に配置された複数の区画領域と、を含む検索結果表示画面を表示部に表示し、
前記キー情報に基づいて行われた複数の種類の検索の検索結果を前記第１記憶部に記憶し、
検索の種類に対応する前記区画領域の検索結果表示領域に、検索結果の順位がｎ（ｎは整数）の検索結果を各々表示し、
区画領域ｓにおいて、検索結果表示領域ｔ（ｔは整数）は、前記区画領域ｓに含まれる複数の検索結果表示領域の配列方向に沿って検索結果表示領域ｔ＋１の前記キー情報表示領域側と反対側に配置されており、順位ｍ（ｍは整数）の検索結果が前記区画領域ｓの前記検索結果表示領域ｔに表示され、順位ｍ＋１の検索結果が前記区画領域ｓの前記検索結果表示領域ｔ＋１に表示されている状態で、第１のタッチ操作が検出されると、前記第１記憶部から読み出した順位ｍ＋１の検索結果を前記区画領域ｓの前記検索結果表示領域ｔに表示し、前記第１記憶部から読み出した順位ｍ＋２の検索結果を前記区画領域ｓの前記検索結果表示領域ｔ＋１に各々表示する、
処理を前記コンピュータに実行させる検索結果表示プログラム。
【０１１９】
（付記２）
順位ｍの検索結果が前記区画領域ｓの前記検索結果表示領域ｔに表示され、順位ｍ＋１の検索結果が前記区画領域ｓの前記検索結果表示領域ｔ＋１に表示されている状態で、第２のタッチ操作が検出されると、前記第１記憶部から読み出した順位ｍ−１の検索結果を、前記区画領域ｓの前記検索結果表示領域ｔに表示し、前記第１記憶部から読み出した順位ｍの検索結果を、前記区画領域ｓの前記検索結果表示領域ｔ＋１に各々表示する、
処理を前記コンピュータに実行させる付記１記載の検索結果表示プログラム。
【０１２０】
（付記３）
前記第１のタッチ操作は、下向き直線のスワイプ操作又はフリック操作である付記１記載の検索結果表示プログラム。
【０１２１】
（付記４）
前記第２のタッチ操作は、上向き直線のスワイプ操作又はフリック操作である付記２記載の検索結果表示プログラム。
【０１２２】
（付記５）
前記区画領域は４つである、付記１〜付記４の何れかに記載の検索結果表示プログラム。
【０１２３】
（付記６）
検索結果の順位と検索の種類と検索結果とが各々対応付けられた情報を記憶する第１記憶部を有するコンピュータに、
キー情報に関連する情報を表示するキー情報表示領域と、互いに異なる放射方向に沿って配列された複数の検索結果表示領域を各々含み、前記キー情報表示領域の周囲に配置された複数の区画領域と、を含む検索結果表示画面を表示部に表示し、
前記キー情報に基づいて行われた複数の種類の検索の検索結果を前記第１記憶部に記憶し、
検索の種類に対応する前記区画領域の検索結果表示領域に、検索結果の順位がｎ（ｎは整数）の検索結果を各々表示し、
区画領域ｓ＋１（ｓは整数）は、区画領域ｓの時計回り進行方向側に配置され、区画領域ｓ＋２は、前記区画領域ｓ＋１の時計回り進行方向側に配置されており、前記区画領域ｓと前記区画領域ｓ＋１の検索結果表示領域に検索結果が各々表示されている状態で、第３のタッチ操作が検出されると、前記区画領域ｓの検索結果表示領域に表示されていた検索結果を、前記区画領域ｓ＋１の検索結果表示領域に表示し、前記区画領域ｓ＋１の検索結果表示領域に表示されていた検索結果を、前記区画領域ｓ＋２の検索結果表示領域に表示する、
処理を前記コンピュータに実行させる検索結果表示プログラム。
【０１２４】
（付記７）
区画領域ｓ−１は、区画領域ｓの反時計回り進行方向側に配置され、前記区画領域ｓは、区画領域ｓ＋１の反時計回り進行方向側に配置されており、前記区画領域ｓと前記区画領域ｓ＋１の検索結果表示領域に検索結果が各々表示されている状態で、第４のタッチ操作が検出されると、前記区画領域ｓの検索結果表示領域に表示されていた検索結果を、前記区画領域ｓ−１の検索結果表示領域に表示し、前記区画領域ｓ＋１の検索結果表示領域に表示されていた検索結果を、前記区画領域ｓの検索結果表示領域に表示する、
処理を前記コンピュータに実行させる付記６に記載の検索結果表示プログラム。
【０１２５】
（付記８）
前記第３のタッチ操作は、時計回りのスワイプ操作である付記６記載の検索結果表示プログラム。
【０１２６】
（付記９）
前記第４のタッチ操作は、反時計回りのスワイプ操作である付記７記載の検索結果表示プログラム。
【０１２７】
（付記１０）
検索結果の順位と検索の種類と検索結果とが各々対応付けられた情報を記憶する第１記憶部を有するコンピュータに、
キー情報に関連する情報を表示するキー情報表示領域と、互いに異なる放射方向に沿って配列された複数の検索結果表示領域を各々含み、前記キー情報表示領域の周囲に配置された複数の区画領域と、を含む検索結果表示画面を表示部に表示し、
前記キー情報に基づいて行われた複数の種類の検索の検索結果を前記第１記憶部に記憶し、
検索の種類に対応する前記区画領域の検索結果表示領域に、検索結果の順位がｎ（ｎは整数）の検索結果を各々表示し、
キー情報ｘ（ｘは整数で、検索の順番を表す）の検索結果が検索結果表示領域に表示されている状態で、第５のタッチ操作が検出されると、前記第５のタッチ操作が検出された検索結果表示領域に表示されている検索結果に関連する情報を、キー情報ｘ＋１として用いて行われた前記複数の検索の結果を前記第１記憶部に各々記憶し、
前記キー情報ｘ＋１に関連する情報を前記キー情報表示領域に表示し、
検索の種類に対応する区画領域の検索結果表示領域に、前記キー情報ｘ＋１に基づいた検索の順位ｐ（ｐは整数）の検索結果を各々表示する、
処理を前記コンピュータに実行させる検索結果表示プログラム。
【０１２８】
（付記１１）
前記第５のタッチ操作は、タップ操作である付記１０に記載の検索結果表示プログラム。
【０１２９】
（付記１２）
検索結果の順位と検索の種類と検索結果とが各々対応付けられた情報を記憶する第１記憶部を有するコンピュータに、
キー情報に関連する情報を表示するキー情報表示領域と、互いに異なる放射方向に沿って配列された複数の検索結果表示領域を各々含み、前記キー情報表示領域の周囲に配置された複数の区画領域と、を含む検索結果表示画面を表示部に表示し、
前記キー情報に基づいて行われた複数の種類の検索の検索結果を前記第１記憶部に記憶し、
検索の種類に対応する前記区画領域の検索結果表示領域に、検索結果の順位がｎ（ｎは整数）の検索結果を各々表示し、
キー情報ｘ（ｘは整数で、検索の順番を表す）の検索結果が検索結果表示領域に表示されている状態で第６のタッチ操作が検出されると、キー情報ｘ＋１に関連する情報を前記キー情報表示領域に表示し、前記第１記憶部から読み出した前記キー情報ｘ＋１に基づいた検索結果を前記検索結果表示領域に各々表示する、
処理を前記コンピュータに実行させる検索結果表示プログラム。
【０１３０】
（付記１３）
キー情報ｘの検索結果が検索結果表示領域に表示されている状態で第７のタッチ操作が検出されると、キー情報ｘ−１に関連する情報を前記キー情報表示領域に表示し、前記第１記憶部から読み出した前記キー情報ｘ−１に基づいた検索結果を前記検索結果表示領域に各々表示する、
処理をコンピュータに実行させる付記１２記載の検索結果表示プログラム。
【０１３１】
（付記１４）
前記第６のタッチ操作は、右向き直線のスワイプ操作又はフリック操作である付記１２記載の検索結果表示プログラム。
【０１３２】
（付記１５）
前記第７のタッチ操作は、左向き直線のスワイプ操作又はフリック操作である付記１３記載の検索結果表示プログラム。
【０１３３】
（付記１６）
前記検索結果は、前記コンピュータとは異なる情報処理装置で前記キー情報に基づいて検索された第２の検索結果であって、
前記第２の検索結果を受信して前記第１記憶部に記憶する、
処理を前記コンピュータに実行させる付記１〜付記１５の何れかに記載の検索結果表示プログラム。
【０１３４】
（付記１７）
前記検索結果の順位と検索の種類と検索結果とが各々対応付けられた情報は、前記コンピュータとは異なる情報処理装置の第２記憶部に記憶されており、
前記検索結果の順位と検索の種類と検索結果とが各々対応付けられた情報を、前記情報処理装置から受信し、前記コンピュータの前記第１記憶部に記憶する、
処理を前記コンピュータに実行させる付記１〜付記１５の何れかに記載の検索結果表示プログラム。
【０１３５】
（付記１８）
タッチ操作を検出する検出部と、
情報を表示可能な表示部と、
検索結果の順位と検索の種類と検索結果とが各々対応付けられた情報を記憶する第１記憶部と、
キー情報に関連する情報を表示するキー情報表示領域と、互いに異なる放射方向に沿って配列された複数の検索結果表示領域を各々含み、前記キー情報表示領域の周囲に配置された複数の区画領域と、を含む検索結果表示画面を前記表示部に表示し、前記キー情報に基づいて行われた複数の種類の検索の検索結果を前記第１記憶部に記憶し、検索の種類に対応する前記区画領域の検索結果表示領域に、検索結果の順位がｎ（ｎは整数）の検索結果を各々表示し、区画領域ｓにおいて、検索結果表示領域ｔ（ｔは整数）は、前記区画領域ｓに含まれる複数の検索結果表示領域の配列方向に沿って検索結果表示領域ｔ＋１の前記キー情報表示領域側と反対側に配置されており、順位ｍ（ｍは整数）の検索結果が前記区画領域ｓの前記検索結果表示領域ｔに表示され、順位ｍ＋１の検索結果が前記区画領域ｓの前記検索結果表示領域ｔ＋１に表示されている状態で、第１のタッチ操作が検出されると、前記第１記憶部から読み出した順位ｍ＋１の検索結果を前記区画領域ｓの前記検索結果表示領域ｔに表示し、前記第１記憶部から読み出した順位ｍ＋２の検索結果を前記区画領域ｓの前記検索結果表示領域ｔ＋１に各々表示する、制御部と、
を含む情報処理装置。
【０１３６】
（付記１９）
前記制御部は、さらに、
順位ｍの検索結果が前記区画領域ｓの前記検索結果表示領域ｔに表示され、順位ｍ＋１の検索結果が前記区画領域ｓの前記検索結果表示領域ｔ＋１に表示されている状態で、第２のタッチ操作が検出されると、前記第１記憶部から読み出した順位ｍ−１の検索結果を、前記区画領域ｓの前記検索結果表示領域ｔに表示し、前記第１記憶部から読み出した順位ｍの検索結果を、前記区画領域ｓの前記検索結果表示領域ｔ＋１に各々表示する、
付記１８記載の情報処理装置。
【０１３７】
（付記２０）
タッチ操作を検出する検出部と、
情報を表示可能な表示部と、
検索結果の順位と検索の種類と検索結果とが各々対応付けられた情報を記憶する第１記憶部と、
キー情報に関連する情報を表示するキー情報表示領域と、互いに異なる放射方向に沿って配列された複数の検索結果表示領域を各々含み、前記キー情報表示領域の周囲に配置された複数の区画領域と、を含む検索結果表示画面を前記表示部に表示し、前記キー情報に基づいて行われた複数の種類の検索の検索結果を前記第１記憶部に記憶し、検索の種類に対応する前記区画領域の検索結果表示領域に、検索結果の順位がｎ（ｎは整数）の検索結果を各々表示し、区画領域ｓ＋１（ｓは整数）は、区画領域ｓの時計回り進行方向側に配置され、区画領域ｓ＋２は、前記区画領域ｓ＋１の時計回り進行方向側に配置されており、前記区画領域ｓと前記区画領域ｓ＋１の検索結果表示領域に検索結果が各々表示されている状態で、第３のタッチ操作が検出されると、前記区画領域ｓの検索結果表示領域に表示されていた検索結果を、前記区画領域ｓ＋１の検索結果表示領域に表示し、前記区画領域ｓ＋１の検索結果表示領域に表示されていた検索結果を、前記区画領域ｓ＋２の検索結果表示領域に表示する、制御部と、
を含む情報処理装置。
【０１３８】
（付記２１）
区画領域ｓ−１は、区画領域ｓの反時計回り進行方向側に配置され、前記区画領域ｓは、区画領域ｓ＋１の反時計回り進行方向側に配置されており、
前記制御部は、さらに、
前記区画領域ｓと前記区画領域ｓ＋１の検索結果表示領域に検索結果が各々表示されている状態で、第４のタッチ操作が検出されると、前記区画領域ｓの検索結果表示領域に表示されていた検索結果を、前記区画領域ｓ−１の検索結果表示領域に表示し、前記区画領域ｓ＋１の検索結果表示領域に表示されていた検索結果を、前記区画領域ｓの検索結果表示領域に表示する、
付記２０記載の情報処理装置。
【０１３９】
（付記２２）
タッチ操作を検出する検出部と、
情報を表示可能な表示部と、
検索結果の順位と検索の種類と検索結果とが各々対応付けられた情報を記憶する第１記憶部と、
キー情報に関連する情報を表示するキー情報表示領域と、互いに異なる放射方向に沿って配列された複数の検索結果表示領域を各々含み、前記キー情報表示領域の周囲に配置された複数の区画領域と、を含む検索結果表示画面を前記表示部に表示し、前記キー情報に基づいて行われた複数の種類の検索の検索結果を前記第１記憶部に記憶し、検索の種類に対応する前記区画領域の検索結果表示領域に、検索結果の順位がｎ（ｎは整数）の検索結果を各々表示し、キー情報ｘ（ｘは整数で、検索の順番を表す）の検索結果が検索結果表示領域に表示されている状態で、第５のタッチ操作が検出されると、前記第５のタッチ操作が検出された検索結果表示領域に表示されている検索結果に関連する情報を、キー情報ｘ＋１として用いて行われた前記複数の種類の検索の結果を前記第１記憶部に各々記憶し、前記キー情報ｘ＋１に関連する情報を前記キー情報表示領域に表示し、検索の種類に対応する区画領域の検索結果表示領域に、前記キー情報ｘ＋１に基づいた検索の順位ｐ（ｐは整数）の検索結果を各々表示する、制御部と、
を含む情報処理装置。
【０１４０】
（付記２３）
タッチ操作を検出する検出部と、
情報を表示可能な表示部と、
検索結果の順位と検索の種類と検索結果とが各々対応付けられた情報を記憶する第１記憶部と、
キー情報に関連する情報を表示するキー情報表示領域と、互いに異なる放射方向に沿って配列された複数の検索結果表示領域を各々含み、前記キー情報表示領域の周囲に配置された複数の区画領域と、を含む検索結果表示画面を前記表示部に表示し、前記キー情報に基づいて行われた複数の種類の検索の検索結果を前記第１記憶部に記憶し、検索の種類に対応する前記区画領域の検索結果表示領域に、検索結果の順位がｎ（ｎは整数）の検索結果を各々表示し、キー情報ｘ（ｘは整数で、検索の順番を表す）の検索結果が検索結果表示領域に表示されている状態で第６のタッチ操作が検出されると、キー情報ｘ＋１に関連する情報を前記キー情報表示領域に表示し、前記第１記憶部から読み出した前記キー情報ｘ＋１に基づいた検索結果を前記検索結果表示領域に各々表示する、制御部と、
を含む情報処理装置。
【０１４１】
（付記２４）
前記制御部は、さらに、
キー情報ｘの検索結果が検索結果表示領域に表示されている状態で第７のタッチ操作が検出されると、キー情報ｘ−１に関連する情報を前記キー情報表示領域に表示し、前記第１記憶部から読み出した前記キー情報ｘ−１に基づいた検索結果を前記検索結果表示領域に各々表示する、
処理をコンピュータに実行させる付記２３記載の情報処理装置。
【０１４２】
（付記２５）
前記検索結果は、前記コンピュータとは異なる情報処理装置で前記キー情報に基づいて検索された第２の検索結果であって、
前記制御部は、さらに、
前記第２の検索結果を受信して前記第１記憶部に記憶する、
付記１８〜付記２４の何れかに記載の情報処理装置。
【０１４３】
（付記２６）
前記検索結果の順位と検索の種類と検索結果とが各々対応付けられた情報は、前記コンピュータとは異なる情報処理装置の第２記憶部に記憶されており、
前記制御部は、さらに、
前記検索結果の順位と検索の種類と検索結果とが各々対応付けられた情報を、前記情報処理装置から受信し、前記コンピュータの前記第１記憶部に記憶する、
付記１８〜付記２４の何れかに記載の情報処理装置。
【０１４４】
（付記２７）
プロセッサが、
キー情報に関連する情報を表示するキー情報表示領域と、互いに異なる放射方向に沿って配列された複数の検索結果表示領域を各々含み、前記キー情報表示領域の周囲に配置された複数の区画領域と、を含む検索結果表示画面を表示部に表示すると共に、
前記キー情報に基づいて行われた複数の種類の検索の検索結果を、検索結果の順位と検索の種類とに各々対応付けて第１記憶部に記憶し、
検索の種類に対応する前記区画領域の検索結果表示領域に、検索結果の順位がｎ（ｎは整数）の検索結果を各々表示し、
区画領域ｓにおいて、検索結果表示領域ｔ（ｔは整数）は、前記区画領域ｓに含まれる複数の検索結果表示領域の配列方向に沿って検索結果表示領域ｔ＋１の前記キー情報表示領域側と反対側に配置されており、順位ｍ（ｍは整数である）の検索結果が前記区画領域ｓの前記検索結果表示領域ｔに表示され、順位ｍ＋１の検索結果が前記区画領域ｓの前記検索結果表示領域ｔ＋１に表示されている状態で、第１のタッチ操作が検出されると、前記第１記憶部から読み出した順位ｍ＋１の検索結果を前記区画領域ｓの前記検索結果表示領域ｔに表示し、前記第１記憶部から読み出した順位ｍ＋２の検索結果を前記区画領域ｓの前記検索結果表示領域ｔ＋１に各々表示する、
ことを含む検索結果表示方法。
【０１４５】
（付記２８）
プロセッサが、
キー情報に関連する情報を表示するキー情報表示領域と、互いに異なる放射方向に沿って配列された複数の検索結果表示領域を各々含み、前記キー情報表示領域の周囲に配置された複数の区画領域と、を含む検索結果表示画面を表示部に表示すると共に、
前記キー情報に基づいて行われた複数の種類の検索の検索結果を、検索結果の順位と検索の種類とに各々対応付けて第１記憶部に記憶し、
検索の種類に対応する前記区画領域の検索結果表示領域に、検索結果の順位がｎ（ｎは整数）の検索結果を各々表示し、
区画領域ｓ＋１（ｓは整数）は、区画領域ｓの時計回り進行方向側に配置され、区画領域ｓ＋２は、前記区画領域ｓ＋１の時計回り進行方向側に配置されており、
前記区画領域ｓと前記区画領域ｓ＋１の検索結果表示領域に検索結果が各々表示されている状態で、第３のタッチ操作が検出されると、前記区画領域ｓの検索結果表示領域に表示されていた検索結果を、前記区画領域ｓ＋１の検索結果表示領域に表示し、前記区画領域ｓ＋１の検索結果表示領域に表示されていた検索結果を、前記区画領域ｓ＋２の検索結果表示領域に表示する、
ことを含む検索結果表示方法。
【０１４６】
（付記２９）
プロセッサが、
キー情報に関連する情報を表示するキー情報表示領域と、互いに異なる放射方向に沿って配列された複数の検索結果表示領域を各々含み、前記キー情報表示領域の周囲に配置された複数の区画領域と、を含む検索結果表示画面を表示部に表示すると共に、
前記キー情報に基づいて行われた複数の種類の検索の検索結果を、検索結果の順位と検索の種類とに各々対応付けて第１記憶部に記憶し、
検索の種類に対応する前記区画領域の検索結果表示領域に、検索結果の順位がｎ（ｎは整数）の検索結果を各々表示し、
キー情報ｘ（ｘは整数で、検索の順番を表す）の検索結果が検索結果表示領域に表示されている状態で、第５のタッチ操作が検出されると、前記第５のタッチ操作が検出された検索結果表示領域に表示されている検索結果に関連する情報を、キー情報ｘ＋１として用いて行われた前記複数の種類の検索の結果を前記第１記憶部に各々記憶すると共に、
前記キー情報ｘ＋１に関連する情報を前記キー情報表示領域に表示し、
検索の種類に対応する区画領域の検索結果表示領域に、前記キー情報ｘ＋１に基づいた検索の順位ｐ（ｐは整数）の検索結果を各々表示する、
ことを含む検索結果表示方法。
【０１４７】
（付記３０）
プロセッサが、
キー情報に関連する情報を表示するキー情報表示領域と、互いに異なる放射方向に沿って配列された複数の検索結果表示領域を各々含み、前記キー情報表示領域の周囲に配置された複数の区画領域と、を含む検索結果表示画面を表示部に表示すると共に、
前記キー情報に基づいて行われた複数の種類の検索の検索結果を、検索結果の順位と検索の種類とに各々対応付けて第１記憶部に記憶し、
検索の種類に対応する前記区画領域の検索結果表示領域に、検索結果の順位がｎ（ｎは整数）の検索結果を各々表示し、
キー情報ｘ（ｘは整数で、検索の順番を表す）の検索結果が検索結果表示領域に表示されている状態で第６のタッチ操作が検出されると、キー情報ｘ＋１に関連する情報を前記キー情報表示領域に表示し、前記第１記憶部から読み出した前記キー情報ｘ＋１に基づいた検索結果を前記検索結果表示領域に各々表示する、
ことを含む検索結果表示方法。
【符号の説明】
【０１４８】
１０  スマートデバイス
１２  検出部
１４  制御部
１６  表示部
１８  通信部
２０  記憶部
６０  ＣＰＵ
６２  １次記憶部
６４  ２次記憶部
７６  タッチパネルディスプレイ
【図１】
2016081330.tif 000003
【図２】
2016081330.tif 000004
【図３】
2016081330.tif 000005
【図４】
2016081330.tif 000006
【図５】
2016081330.tif 000007
【図６】
2016081330.tif 000008
【図７Ａ】
2016081330.tif 000009
【図７Ｂ】
2016081330.tif 000010
【図７Ｃ】
2016081330.tif 000011
【図７Ｄ】
2016081330.tif 000012
【図７Ｅ】
2016081330.tif 000013
【図７Ｆ】
2016081330.tif 000014
【図８】
2016081330.tif 000015
【図９】
2016081330.tif 000016
【図１０】
2016081330.tif 000017
【図１１】
2016081330.tif 000018
【図１２】
2016081330.tif 000019
【図１３】
2016081330.tif 000020
【図１４Ａ】
2016081330.tif 000021
【図１４Ｂ】
2016081330.tif 000022
【図１４Ｃ】
2016081330.tif 000023
【図１５】
2016081330.tif 000024
【図１６】
2016081330.tif 000025
【図１７Ａ】
2016081330.tif 000026
【図１７Ｂ】
2016081330.tif 000027
【図１７Ｃ】
2016081330.tif 000028
【図１８】
2016081330.tif 000029
【図１９Ｃ】
2016081330.tif 000030
【図２０】
2016081330.tif 000031
【図２１Ａ】
2016081330.tif 000032
【図２１Ｂ】
2016081330.tif 000033
【図２１Ｃ】
2016081330.tif 000034
【図２２】
2016081330.tif 000035
【図２３】
2016081330.tif 000036
【図２４】
2016081330.tif 000037
【図２５】
2016081330.tif 000038
【図２６】
2016081330.tif 000039
【図２７】
2016081330.tif 000040
【図２８Ａ】
2016081330.tif 000041
【図２８Ｂ】
2016081330.tif 000042
【図２８Ｃ】
2016081330.tif 000043
【図２８Ｄ】
2016081330.tif 000044
【図２８Ｅ】
2016081330.tif 000045
【図１９Ａ】
2016081330.tif 000046
【図１９Ｂ】
2016081330.tif 000047